(57)【要約】【課題】画像データに障害が含まれている場合でも、表示対象の画像の画質低下及び省電力の効果をも失うことのない画像制御装置を提供する。【解決手段】受信した画像データから画像を復元して表示装置へ出力するとともに、受信した画像データに応じて表示装置の表示条件を示す表示情報を生成して出力する画像制御装置は、画像データを受信し、前記画像データから誤りを検出し、誤りが検出されると、前記画像データから、検出された誤りを含む障害画像領域を特定し、前記表示装置による画像表示状態を規定する表示情報の生成の際には、特定した障害画像領域の利用を抑止する。【選択図】図１
2008003578.tif 000002
【特許請求の範囲】
【請求項１】
受信した画像データから画像を復元して表示装置へ出力するとともに、受信した画像データに応じて表示装置の表示条件を示す表示情報を生成して出力する画像制御装置であって、
画像データを受信する受信手段と、
前記画像データから誤りを検出する検出手段と、
誤りが検出されると、前記画像データから、検出された誤りを含む障害画像領域を特定する特定手段と、
前記表示装置による画像表示状態を規定する表示情報の生成の際には、前記特定手段にて特定された障害画像領域の利用を抑止する制御手段と
を備えることを特徴とする画像制御装置。
【請求項２】
前記制御手段は、
前記特定手段にて特定された前記障害画像領域を除いた残りの画像領域から特徴量を抽出する抽出部と、
抽出した前記特徴量に基づいて、前記表示情報を生成し、生成した前記表示情報を前記表示装置へ出力する出力部とを備える
ことを特徴とする請求項１に記載の画像制御装置。
【請求項３】
前記画像データは前記複数のマクロブロックを含み、
前記検出手段は、マクロブロック毎に誤りの有無を検出し、
前記特定手段は、誤りが検出されたマクロブロックを前記障害画像領域とする
ことを特徴とする請求項２に記載の画像制御装置。
【請求項４】
前記画像データは前記複数のマクロブロックを含み、
前記検出手段は、前記マクロブロック毎に誤りの有無を検出し、
前記特定手段は、誤りが検出されたマクロブロックを含む所定の範囲からなる領域を前記障害画像領域とする
ことを特徴とする請求項２に記載の画像制御装置。
【請求項５】
前記所定の範囲からなる領域は、誤りが検出された前記マクロブロックに対する水平方向上の水平領域であり、
前記特定手段は、前記水平領域を前記障害画像領域とする
ことを特徴とする請求項４に記載の画像制御装置。
【請求項６】
前記水平領域は、前記画像データから復元される画像における１ラインであり、
前記特定手段は、誤りが検出された前記マクロブロックを含む水平方向１ラインを前記障害画像領域とする
ことを特徴とする請求項５に記載の画像制御装置。
【請求項７】
前記所定の範囲からなる領域は、誤りが検出された前記マクロブロックに対する垂直方向上の垂直領域であり、
前記特定手段は、前記前記垂直領域を前記障害画像領域とする
ことを特徴とする請求項４に記載の画像制御装置。
【請求項８】
前記垂直領域は、前記画像データから復元される画像における１ラインであり、
前記特定手段は、誤りが検出された前記マクロブロックを含む垂直方向１ラインを前記障害画像領域とする
ことを特徴とする請求項７に記載の画像制御装置。
【請求項９】
前記所定の範囲からなる領域は、誤りが検出された前記マクロブロックを取り囲む包囲領域であり、
前記特定手段は、前記包囲領域を前記障害画像領域とする
ことを特徴とする請求項４に記載の画像制御装置。
【請求項１０】
前記制御手段は、さらに、
現在の表示対象である現表示データよりも１つ前の表示対象であった旧表示データに対する旧特徴量を記憶している記憶部と、
前記抽出部が抽出した現画像データにおける現特徴量が有効であるか否かを判断し、有効であると判断する場合には前記現特徴量を選択し、有効でないと判断する場合には前記旧特徴量を選択する選択部とを備え、
前記出力手段は、前記選択部が選択した特徴量を用いて前記表示情報を生成する
ことを特徴とする請求項２に記載の画像制御装置。
【請求項１１】
前記選択部は、
前記旧特徴量と前記現特徴量との差分量にて定まる閾値と、前記現特徴量の抽出に用いられた前記現画像データにおける画像領域の面積値とを比較し、
前記面積値が前記閾値以上である場合には前記原特徴量は有効と判断し、前記面積値が前記閾値より小さいと判断する場合には前記現特徴量は有効でないと判断する
ことを特徴とする請求項１０に記載の画像制御装置。
【請求項１２】
前記受信手段は、画像データを順次受信し、
前記画像制御装置は、さらに、
前記画像データにおける特徴量から補助光の光量を算出する光量算出手段と、
タイマーと、
前記タイマーを用いて、誤りが検出された画像データが連続して受信されている障害時間を監視し、前記障害時間が所定の時間を経過した場合に、前記画像データから復元される画像を表示する際の省電力を抑えるように前記補助光算出手段による光量算出を制御する障害監視手段とを備え、
前記障害監視手段は、前記タイマーの未起動時に画像データから誤りが検出されていることを検知すると前記タイマーを起動させて前記監視を開始する
ことを特徴とする請求項２に記載の画像制御装置。
【請求項１３】
前記障害監視手段は、
前記障害時間が所定の時間を経過した場合、前記補助光が消灯されるように、前記補助光算出手段を制御する
ことを特徴とする請求項１２に記載の画像制御装置。
【請求項１４】
前記障害監視手段は、
前記障害時間が所定の時間を経過した場合、前記補助光算出手段が算出した光量がさらに低下するように、前記補助光算出手段を制御する
ことを特徴とする請求項１２に記載の画像制御装置。
【請求項１５】
前記受信手段は、画像データを順次受信し、
前記画像制御装置は、さらに、
前記画像データにおける特徴量から補助光の光量を算出する光量算出手段と、
カウンタと、
前記カウンタを用いて、誤りが検出された画像データが連続して受信されている数をカウントし、カウントした数が所定数を超えた場合に、前記補助光算出手段による光量算出を制御する障害監視手段とを備え、
前記障害監視手段は、前記カウンタがカウント開始前を示す初期状態である場合に、画像データから誤りが検出されていることを検知すると前記カウンタによるカウントを開始する
ことを特徴とする請求項２に記載の画像制御装置。
【請求項１６】
前記特定手段は、
前記障害画像領域を、前記画像データ全てとする
ことを特徴とする請求項１に記載の画像制御装置。
【請求項１７】
表示装置と、受信した画像データから画像を復元して前記表示装置へ出力するとともに、受信した画像データに応じて前記表示装置の表示条件を示す表示情報を生成して出力する画像制御装置とからなる画像表示システムであって、
前記画像制御装置は、
画像データを受信する受信手段と、
前記画像データから誤りを検出する検出手段と、
誤りが検出されると、前記画像データから、検出された誤りを含む障害画像領域を特定する特定手段と、
前記表示装置による画像表示状態を規定する表示情報の生成の際には、前記特定手段にて特定された障害画像領域の利用を抑止する制御手段とを備え、
前記表示装置は、前記表示情報に基づいて前記画像データから復元された画像を表示する
ことを特徴とする画像表示システム。
【発明の詳細な説明】
【技術分野】
【０００１】
本発明は、画像の表示制御を行う装置及び表示制御方法に関するものである。特に、液晶パネルに代表される受光型表示デバイスへ、光源から光を照射して映像を表示する表示装置に対して、動的に光源の輝度調整と表示内容の補正とを相関を持たせて表示の制御を行う技術に関する。
【背景技術】
【０００２】
液晶パネルにて画像を表示する画像表示装置において、画素データに誤り検出ビットを付加させて、表示前で誤りを検出し誤りがある場合は画素データを補正して正しく画像を表示する技術が開示されている（特許文献１参照）。
特許文献１では生成された表示画像における各画素データ単位での誤り訂正が対象となっているので、特許文献１にて開示されている技術を用いることにより、画像出力部までの経路で表示画像に障害が発生した場合に生成された表示画像となるように補正することができる。
【０００３】
また、液晶パネルにて画像を表示する画像表示装置における別の技術として、光源の省電力化、デバイスの長寿命等を目的として、表示画像、光センサー、温度センサー等に応じて、光源の輝度調整値と表示画像の補正値とを相関を持たせて制御し、省電力・長寿命等を実現する技術が開示されている（特許文献２参照）。
特許文献２において、表示画像全面の特徴量、具体的には輝度信号の最大値、最小値、平均値などをベースに指定の相関テーブルに基づいて、光源の輝度調整値と表示画像の補正値を求めることが開示されている。
【特許文献１】特開２００５−２５７８５４号公報
【特許文献２】特開２００２−２０２７６６号公報
【発明の開示】
【発明が解決しようとする課題】
【０００４】
特許文献１及び２を用いることにより、表示画像の出力経路において障害が発生した場合、補正後の表示画像全面に対して特徴量を求めることにより、補正しない場合よりもより正確な特徴量を求めることができる。
通常、表示画像はＭＰＥＧ−２／４、ＪＰＥＧといったような画像圧縮技術により圧縮されている。この場合、画像表示装置は、圧縮されたデータを外部から受け取り、受け取った圧縮されたデータを復号して表示画像を生成する。
【０００５】
このとき、特許文献１にて示す画像表示装置は、圧縮されたデータの復号時における復号障害や、圧縮されたデータを通信により受け取る場合における通信障害に対する障害に対しては補正しないので、生成された表示画像には障害が含まれたままとなる。
そのため、特許文献１の技術と特許文献２の技術とを組み合わせても、圧縮データの受信時及び復号時にて、データ誤り等の障害が発生している場合には、障害が含まれる表示画像を用いるので正確な特徴量を算出することができない、つまり誤った特徴量を抽出することになる。その結果、誤った特徴量を用いて光源の輝度、表示画像の補正変換処理が実施されるため、画質が著しく低下したり、逆に光源の輝度が高くなったりして省電力の効果がなくなる場合がある。また、特徴量抽出は全画面探索を行うため、処理負荷的にも大きく、表示画像に障害がある場合は、補正変換処理が適切に行われていない。
【０００６】
本発明は、上記の問題に鑑み、画像データに誤りが含まれている場合でも、表示対象の画像の画質低下及び省電力の効果をも失うことのない画像制御装置、及び画像表示システムを提供することを目的とする。
【課題を解決するための手段】
【０００７】
上記目的を達成するために、本発明は、受信した画像データから画像を復元して表示装置へ出力するとともに、受信した画像データに応じて表示装置の表示条件を示す表示情報を生成して出力する画像制御装置であって、画像データを受信する受信手段と、前記画像データから誤りを検出する検出手段と、誤りが検出されると、前記画像データから、検出された誤りを含む障害画像領域を特定する特定手段と、前記表示装置による画像表示状態を規定する表示情報の生成の際には、前記特定手段にて特定された障害画像領域の利用を抑止する制御手段とを備えることを特徴とする。
【発明の効果】
【０００８】
上記に示す構成によると、画像抽出装置は、障害画像領域を表示情報の生成の際には用いないので、誤った表示情報を生成することはない。これにより、画像抽出装置は、画像データに誤りが含まれている場合でも、画像の画質低下を防ぎつつ、省電力の効果も失うこともない。
ここで、前記制御手段は、前記特定手段にて特定された前記障害画像領域を除いた残りの画像領域から特徴量を抽出する抽出部と、抽出した前記特徴量に基づいて、前記表示情報を生成し、生成した前記表示情報を前記表示装置へ出力する出力部とを備えるとしてもよい。
【０００９】
この構成によると、画像制御装置は、障害画像領域を除いた残りの画像領域から特徴量を抽出するので、誤った特徴量を抽出することはない。これにより、画像制御装置は、画像データに誤りが含まれている場合でも、誤った特徴量を抽出することはないので、画像の画質低下を防ぎつつ、省電力の効果も失うこともない。
ここで、前記画像データは前記複数のマクロブロックを含み、前記検出手段は、マクロブロック毎に誤りの有無を検出し、前記特定手段は、誤りが検出されたマクロブロックを前記障害画像領域とするとしてもよい。
【００１０】
この構成によると、画像制御装置は、誤りが検出されたマクロブロックを障害画像領域とするので、特徴量抽出の対象外となる領域を最小にすることができる。
ここで、前記画像データは前記複数のマクロブロックを含み、前記検出手段は、前記マクロブロック毎に誤りの有無を検出し、前記特定手段は、誤りが検出されたマクロブロックを含む所定の範囲からなる領域を前記障害画像領域とするとしてもよい。
【００１１】
この構成によると、画像制御装置は、誤りが検出されたマクロブロックを含む所定の範囲からなる領域を障害画像領域とすることができる。誤りが検出されたマクロブロックに対応する領域では正常な画像が表示されないので、その周囲においても表示における画質等に当該マクロブロックに含まれる誤りによる障害の影響を受ける可能性がある。画像制御装置は、誤りが検出されたマクロブロックを含む所定の範囲からなる領域を特徴量抽出の対象外とすることで、当該マクロブロックに含まれる誤りによる障害の影響を受けることのない領域のみから特徴量を抽出することができる。
【００１２】
ここで、前記所定の範囲からなる領域は、誤りが検出された前記マクロブロックに対する水平方向上の水平領域であり、前記特定手段は、前記水平領域を前記障害画像領域とするとしてもよい。
この構成によると、画像制御装置は、誤りが検出されたマクロブロックを含む水平領域を当該マクロブロックに含まれる誤りによる障害を受ける可能性がある領域として、特徴量抽出の対象外とすることができる。
【００１３】
ここで、前記水平領域は、前記画像データから復元される画像における１ラインであり、前記特定手段は、誤りが検出された前記マクロブロックを含む水平方向１ラインを前記障害画像領域とするとしてもよい。
この構成によると、画像制御装置は、誤りが検出されたマクロブロックを含む水平方向１ラインを水平領域として特徴量抽出の対象外とすることができる。
【００１４】
ここで、前記所定の範囲からなる領域は、誤りが検出された前記マクロブロックに対する垂直方向上の垂直領域であり、前記特定手段は、前記前記垂直領域を前記障害画像領域とするとしてもよい。
この構成によると、画像制御装置は、誤りが検出されたマクロブロックを含む垂直領域を当該マクロブロックに含まれる誤りによる障害を受ける可能性がある領域として、特徴量抽出の対象外とすることができる。
【００１５】
ここで、前記垂直領域は、前記画像データから復元される画像における１ラインであり、前記特定手段は、誤りが検出された前記マクロブロックを含む垂直方向１ラインを前記障害画像領域とするとしてもよい。
この構成によると、画像制御装置は、誤りが検出されたマクロブロックを含む垂直方向１ラインを垂直領域として特徴量抽出の対象外とすることができる。
【００１６】
ここで、前記所定の範囲からなる領域は、誤りが検出された前記マクロブロックを取り囲む包囲領域であり、前記特定手段は、前記包囲領域を前記障害画像領域とするとしてもよい。
この構成によると、画像制御装置は、誤りが検出されたマクロブロックを含む包囲領域を当該マクロブロックに含まれる誤りによる障害を受ける可能性がある領域として、特徴量抽出の対象外とすることができる。
【００１７】
ここで、前記制御手段は、さらに、現在の表示対象である現表示データよりも１つ前の表示対象であった旧表示データに対する旧特徴量を記憶している記憶部と、前記抽出部が抽出した現画像データにおける現特徴量が有効であるか否かを判断し、有効であると判断する場合には前記現特徴量を選択し、有効でないと判断する場合には前記旧特徴量を選択する選択部とを備え、前記出力手段は、前記選択部が選択した特徴量を用いて前記表示情報を生成するとしてもよい。
【００１８】
この構成によると、画像制御装置は、現画像データにおける現特徴量が有効であるか、有効でないかを判断することにより補助光の光量の用いる特徴量を、現特徴量及び旧特徴量の何れかから選択することができる。
特徴量を選択することの利点について、以下に説明する。
画像制御装置が特定した障害画像領域が大きいと、特徴量抽出に用いる画像領域が小さくなる。そのため、小さな画像領域から抽出した特徴量は、前回抽出した特徴量から急激に変化した値となり、信頼性が低くなる可能性がある。この場合、抽出した特徴量が有効であるとはいえない。この信頼性が低い特徴量を用いて表示装置の表示状態を制御すると、画面のチラツキが発生してしまう。
【００１９】
そこで、現画像データと旧画像データとにおいて、表示内容に大きな差分があまりないので、信頼性の低い現特徴量よりも旧特徴量を用いることで、特徴量が急激に変化することを防止することができるので、画面のチラツキを防止することができる。
ここで、前記選択部は、前記旧特徴量と前記現特徴量との差分量にて定まる閾値と、前記現特徴量の抽出に用いられた前記現画像データにおける画像領域の面積値とを比較し、前記面積値が前記閾値以上である場合には前記原特徴量は有効と判断し、前記面積値が前記閾値より小さいと判断する場合には前記現特徴量は有効でないと判断するとしてもよい。
【００２０】
この構成によると、画像制御装置は、現画像データの現特徴量の抽出に用いた画像領域の面積値と、閾値とを用いて、抽出した現特徴量が有効であるか否かの判断をすることができる。
ここで、前記受信手段は、画像データを順次受信し、前記画像制御装置は、さらに、前記画像データにおける特徴量から補助光の光量を算出する光量算出手段と、タイマーと、前記タイマーを用いて、誤りが検出された画像データが連続して受信されている障害時間を監視し、前記障害時間が所定の時間を経過した場合に、前記画像データから復元される画像を表示する際の省電力を抑えるように前記補助光算出手段による光量算出を制御する障害監視手段とを備え、前記障害監視手段は、前記タイマーの未起動時に画像データから誤りが検出されていることを検知すると前記タイマーを起動させて前記監視を開始するとしてもよい。
【００２１】
この構成によると、画像制御装置は、障害時間を監視することにより誤りを含む画像データが連続的に受信さているか否かを知ることができるので、誤りを含む画像データが連続的に受信さている場合には、画像データから復元される画像を表示する際の省電力を抑えるように光量算出を制御するので、無駄な消費電力をなくすことができる。
ここで、前記障害監視手段は、前記障害時間が所定の時間を経過した場合、前記補助光が消灯されるように、前記補助光算出手段を制御するとしてもよい。
【００２２】
この構成によると、画像制御装置は、誤りを含む画像データが連続的に所定時間を越えて受信されている場合には、補助光を消灯させて画像データから復元される画像の表示を制御することで、無駄な消費電力をなくすことができる。
ここで、前記障害監視手段は、前記障害時間が所定の時間を経過した場合、前記補助光算出手段が算出した光量がさらに低下するように、前記補助光算出手段を制御するとしてもよい。
【００２３】
この構成によると、画像制御装置は、誤りを含む画像データが連続的に所定時間を越えて受信されている場合には、算出した補助光をさらに低下させて画像データから復元される画像の表示を制御することで、無駄な消費電力をなくすことができる。
ここで、前記受信手段は、画像データを順次受信し、前記画像制御装置は、さらに、前記画像データにおける特徴量から補助光の光量を算出する光量算出手段と、カウンタと、前記カウンタを用いて、誤りが検出された画像データが連続して受信されている数をカウントし、カウントした数が所定数を超えた場合に、前記補助光算出手段による光量算出を制御する障害監視手段とを備え、前記障害監視手段は、前記カウンタがカウント開始前を示す初期状態である場合に、画像データから誤りが検出されていることを検知すると前記カウンタによるカウントを開始するとしてもよい。
【００２４】
この構成によると、画像制御装置は、カウンタを用いることにより、誤りを含む画像データが連続的に受信されているか否かを知ることができるので、誤りを含む画像データが連続的に受信されている場合には、画像データから復元される画像を表示する際の省電力を抑えるように光量算出を制御するので、無駄な消費電力をなくすことができる。
ここで、前記特定手段は、前記障害画像領域を、前記画像データ全てとするとしてもよい。
【００２５】
この構成によると、画像制御装置は、画像データの全領域から特徴量の抽出を行わないので、特徴量の抽出処理の負荷を軽減することができる。
【発明を実施するための最良の形態】
【００２６】
以下本発明の実施の形態について、図面を参照しながら説明する。
１．第１の実施の形態
本発明にかかる第１の実施の形態としての画像表示システム１について説明する。
画像表示システム１は、図１に示すように、画像制御装置１０と表示装置２０とから構成されている。
【００２７】
画像制御装置１０は、画像信号（画像データ）を外部から受信し、受信した画像信号より表示画像を生成し、生成した表示画像と、表示画像に係る補正値と、補助光の照度とを表示装置２０へ出力する。ここで、補正値とは、表示画像の輝度値である。また、以降において、表示画像をフレームともいう。
表示装置２０は、ＬＣＤ（Ｌｉｑｕｉｄ  Ｃｒｙｓｔａｌ  Ｄｉｓｐｌａｙ：液晶ディスプレイ）２００とＢＬ（バックライト）／電源ＩＣ２０１とから構成されており、画像制御装置１０から表示画像と補正値と照度とを受け取ると、補正値及び照度に基づいて、表示画像を表示する。
１．１  画像制御装置１０の構成
ここでは、画像制御装置１０の構成について、説明する。
【００２８】
画像制御装置１０は、図１に示すように、入力端子１００、信号入力部１０１、画像復号部１０２及び表示制御部１０３及びフレーム管理部１０４から構成されている。
（１）信号入力部１０１
信号入力部１０１は、図１及び図２にて示すように、入力信号処理部１１０と障害検出部１１１とから構成されている。
【００２９】
入力信号処理部１１０は、アンテナ３０から入力端子１００を介して、デジタル通信による信号であるパラレル形式の画像信号を受信し、受信した画像信号を画像復号部１０２が処理できる形式に変換して変換した信号を画像復号部１０２へ出力する。
ここで、画像信号の一例を図３にて示す。画像信号は、データ部（ｈｅｘ）とパリティビット（ｂｉｎ）とからなる組を複数個含んでいる。なお、以下において、データ部とパリティビットとからなる組を入力信号と呼ぶ。データ部は１６ビットからなるデータ（ここでは、１６進表記で示す）である。パリティビットは１ビットからなる値であり、対応するデータ部の偶数ビットパリティを表現している。また、画像信号の先頭にはフレームの開始を示す開始コード（１ＦＦＦ）が、末尾にはフレームの終了を示す終了コード（ＦＦＦ１）が含まれ、開始コードと終了コードとの間には、１画像分のマクロブロックのデータ（ここでは、マクロブロック１〜ｍのデータ）が含まれている。また、各マクロブロックは複数の入力信号から構成されており、マクロブロックの開始時にはその開始を示すデータ（００ＢＢ）を含む入力信号が、終了時にはその終了を示すデータ（ＢＢ００）を含む入力信号が含まれている。つまり、データ（００ＢＢ）からデータ（ＢＢ００）までに含まれる複数のデータが１つのマクロブロックを構成する。
【００３０】
入力信号処理部１１０は、アンテナ３０から入力端子１００を介して、入力信号単位に受信する。つまり、入力信号処理部１１０は、図３にて示すデータ順にて入力信号を順次受信する。
障害検出部１１１は、受信した画像信号に障害が発生しているか否かを検出し、障害を検出した場合には、その旨を表示制御部１０３へ通知する。
【００３１】
なお、通常、マクロブロックは、符号化圧縮されたデータ（画像圧縮データ）として画像信号に含まれている。
以下、信号入力部１０１について、詳細に説明する。
信号入力部１０１は、図４にて示すように、Ｓ／Ｐ（シリアル／パラレル）変換部１２０、フレーム開始／終了検出部１２１、出力端子１２２、１２３、パリティ計算部１２４、比較部１２５及び出力端子１２６とから構成されている。
【００３２】
ここで、上記にて示す入力信号処理部１１０は、Ｓ／Ｐ変換部１２０、フレーム開始／終了検出部１２１及び出力端子１２２、１２３から構成され、障害検出部１１１は、パリティ計算部１２４、比較部１２５及び出力端子１２６から構成されている。
（１−１）Ｓ／Ｐ変換部１２０
Ｓ／Ｐ変換部１２０は、順次受信した入力信号をパラレル形式に変換する。
【００３３】
Ｓ／Ｐ変換部１２０は、パラレル形式に変換した入力信号に含まれるデータ部、つまり入力信号のうち先頭から１６ビットの信号を、順次出力端子１２３を介して画像復号部１０２へ出力するとともに、フレーム開始／終了検出部１２１及びパリティ計算部１２４へも出力する。
さらに、Ｓ／Ｐ変換部１２０は、パリティビット、つまり入力信号の末尾１ビットを比較部１２５へ出力する。
【００３４】
（１−２）フレーム開始／終了検出部１２１
フレーム開始／終了検出部１２１は、受信した画像信号からあるフレームから次のフレームへの切り替わりを検出する。
フレーム開始／終了検出部１２１は、Ｓ／Ｐ変換部１２０から１６ビットの信号を受け取ると、受け取った信号が画像信号の開始コードを示すか否かを判断する。
【００３５】
受け取った信号が開始コードを示すと判断する場合には、フレーム開始／終了検出部１２１は、表示画像が切り替わったことを示す切替検出情報を、出力端子１２２を介してフレーム管理部１０４へ出力し、次信号の受け取り待ちの状態となる。
受け取った信号が開始コードを示さないと判断する場合には、フレーム開始／終了検出部１２１は、次信号の受け取り待ちの状態となる。
【００３６】
（１−３）パリティ計算部１２４
パリティ計算部１２４は、Ｓ／Ｐ変換部１２０からデータを受け取ると、受け取ったデータの偶数ビットのパリティ計算を行い、計算結果を比較部１２５へ出力する。
（１−４）比較部１２５
比較部１２５は、Ｓ／Ｐ変換部１２０からパリティビットを受け取る。
【００３７】
比較部１２５は、パリティ計算部１２４から計算結果を受け取ると、Ｓ／Ｐ変換部１２０から受け取ったパリティビットと、パリティ計算部１２４から受け取った計算結果とを比較し、データの整合性をチェックする。ここでは、比較部１２５は、パリティビットと計算結果とが一致するか否かを判断することにより、データの整合性をチェックする。
比較結果により一致しないと判断する場合には、比較部１２５は、受信した画像信号から障害が検出されたことを示す障害通知情報を、出力端子１２６を介して表示制御部１０３へ出力し、次の入力信号に含まれるデータの比較処理を行う。
（２）画像復号部１０２
画像復号部１０２は、Ｈ．２６４／ＭＰＥＧ−４  ＡＶＣの規格による画像圧縮されたデータ（マクロブロック）を復号して、表示画像を生成する。
【００３８】
画像復号部１０２は、図２にて示すように、エントロピー復号（可変長変換）部１４０、逆量子化／逆ＤＣＴ部１４１、加算部１４２、デブロッキング・フィルタ１４３、参照画像格納部１４４、動き補償部１４５、重み付き予測部１４６、画面内予測部１４７、スイッチ１４８、表示画像格納部１４９、第１セレクタ１５２及び第２セレクタ１５３から構成されている。
【００３９】
なお、これらの構成要素は、従来技術であり、既に公知であるので、ここでの説明は省略する。
表示画像格納部１４９は、第１領域１５０及び第２領域１５１とを有している。
第１領域１５０及び第２領域１５１は、当該画像復号部１０２にて生成された表示画像を格納する領域を有している。
【００４０】
第１領域１５０及び第２領域１５１のうち１つが第１セレクタ１５２により表示制御部１０３と接続され、第２セレクタ１５３により他方が加算部１４２と接続されている。
第１セレクタ１５２は、フレーム管理部１０４から接続先の切り替えを示す切替指示を受け取ると、表示制御部１０３と接続される領域を変更する。例えば、第１セレクタ１５２が第１領域１５０と接続している状態で、第１セレクタ１５２が接続指示をフレーム管理部１０４から受け取ると、第１セレクタ１５２は、接続先を第１領域１５０から第２領域１５１へと切り替える。
【００４１】
第２セレクタ１５３は、フレーム管理部１０４から切替指示を受け取ると、加算部１４２と接続される領域を変更する。例えば、第２セレクタ１５３が第２領域１５１と接続している状態で、第２セレクタ１５３が接続指示をフレーム管理部１０４から受け取ると、第２セレクタ１５３は、接続先を第２領域１５１から第１領域１５０へと切り替える。
このとき、加算部１４２は、第２セレクタ１５３にて接続された領域へ生成した表示画像を格納する。
（３）表示制御部１０３
表示制御部１０３は、図２に示すように、特徴量抽出部１６０、表示内容補正部１６１、補正光制御部１６２、情報格納部１６３、第１セレクタ１６６及び第２セレクタ１６７から構成されている。
【００４２】
（３−１）情報格納部１６３
情報格納部１６３は、第１領域１６４及び第２領域１６５を有している。
第１領域１６４及び第２領域１６５は、障害検出部１１１にて出力された障害通知情報を格納する領域を有している。
第１領域１６４及び第２領域１６５のうち１つが、第１セレクタ１６６により特徴量抽出部１６０と接続され、第２セレクタ１６７により他方が障害検出部１１１と接続されている。
【００４３】
（３−２）第１セレクタ１６６及び第２セレクタ１６７
第１セレクタ１６６は、フレーム管理部１０４から切替指示を受け取ると、特徴量抽出部１６０と接続される領域を変更する。例えば、第１セレクタ１６６が第１領域１６４と接続している状態で、第１セレクタ１６６が接続指示をフレーム管理部１０４から受け取ると、第１セレクタ１６６は、接続先を第１領域１６４から第２領域１６５へと切り替える。
【００４４】
第２セレクタ１６７は、フレーム管理部１０４から切替指示を受け取ると、障害検出部１１１と接続される領域を変更する。例えば、第２セレクタ１６７が第２領域１６５と接続している状態で、第２セレクタ１６７が接続指示をフレーム管理部１０４から受け取ると、第２セレクタ１６７は、接続先を第２領域１６５から第１領域１６４へと切り替える。
【００４５】
（３−３）特徴量抽出部１６０
特徴量抽出部１６０は、画像復号部１０２の第１セレクタ１５２と接続された領域から表示対象となる表示画像を取得する。
特徴量抽出部１６０は、第１セレクタ１６６と接続された領域に１以上の障害通知情報が存在するか否かを判断する。
【００４６】
存在しないと判断する場合には、特徴量抽出部１６０は、表示画像全体から特徴量を抽出し、抽出した特徴量を表示内容補正部１６１及び補正光制御部１６２へ出力する。
存在すると判断する場合には、特徴量抽出部１６０は、取得した表示画像の全領域を特徴量抽出の対象外とし、取得した表示画像からの特徴量抽出は行わない。このとき、特徴量抽出部１６０は、特徴量抽出を行わない旨の未抽出情報を表示内容補正部１６１及び補正光制御部１６２へ出力する。
【００４７】
ここで、特徴量とは、障害が発生していない領域における平均輝度である。例えば、特徴量抽出部１６０は、障害が発生していない複数のマクロブロックのから最大輝度のマクロブロックと最小輝度のマクロブロックとを抽出し、抽出した最大輝度と最小輝度との平均を抽出すべき平均輝度（特徴量）とする。
特徴量の抽出方法については、特許文献２に詳しく記載されているので、ここでの説明は省略する。
【００４８】
なお、ここでは、特徴量として平均輝度を抽出しているが、最大輝度でもよい。
（３−４）表示内容補正部１６１
表示内容補正部１６１は、画像復号部１０２の第１セレクタ１５２と接続された領域から表示対象となる表示画像を取得する。
表示内容補正部１６１は、特徴量抽出部１６０から特徴量を受け取ると、受け取った特徴量に基づいて、表示画像の輝度値を算出し、算出した輝度値と表示画像とを表示装置２０へ出力する。
【００４９】
表示内容補正部１６１は、未抽出情報を特徴量抽出部１６０から受け取ると、輝度値を算出していない旨の第１未算出情報を生成し、生成した第１未算出情報と表示画像とを表示装置２０へ出力する。
なお、特徴量に基づく輝度の算出方法については、特許文献２に詳しく記載されているので、ここでの説明は省略する。
【００５０】
（３−５）補正光制御部１６２
補正光制御部１６２は、特徴量抽出部１６０から特徴量を受け取ると、受け取った特徴量に基づいて、照度を算出する。補正光制御部１６２は、算出した照度を表示装置２０へ出力する。
補正光制御部１６２は、未抽出情報を特徴量抽出部１６０から受け取ると、照度を算出していない旨の第２未算出情報を表示装置２０へ出力する。
【００５１】
なお、特徴量に基づく照度の算出方法については、特許文献２に詳しく記載されているので、ここでの説明は省略する。
（４）フレーム管理部１０４
フレーム管理部１０４は、フレーム開始／終了検出部１２１から切替検出情報を受け取ると、画像復号部１０２の第１セレクタ１５２と第２セレクタ１５３、及び表示制御部１０３の第１セレクタ１６６と第２セレクタ１６７へ切替指示を出力する。
【００５２】
これにより、フレーム単位に表示画像が格納される領域、及び障害通知情報が格納される領域を切り替えることができる。
１．２  表示装置２０
表示装置２０は、図１及び図２に示すように、ＬＣＤ２００とＢＬ／電源ＩＣ２０１とから構成されている。
【００５３】
ＬＣＤ２００は、液晶パネルそのものであり、表示内容補正部１６１から表示画像及び輝度値とを受け取ると、受け取った輝度値に基づいて、表示画像を表示する。ＬＣＤ２００は、第１未算出情報と表示画像とを受け取ると、表示画像に含まれる輝度値に基づいて、当該表示画像を表示する。
ＢＬ／電源ＩＣ２０１は、補助光つまりバックライト(BL)と、この補助光が点灯するために必要な電源を供給する電源ＩＣとから構成されている。
【００５４】
ＢＬ／電源ＩＣ２０１は、補正光制御部１６２から照度を受け取ると、受け取った照度に基づいて、ＢＬの明るさを調整する。
ＢＬ／電源ＩＣ２０１は、補正光制御部１６２から第２未算出情報を受け取ると、予め定められた規定値（例えば、照度が１００％となる値）に基づいて、ＢＬの明るさを調整する。
【００５５】
ここで、光源の輝度調整と表示内容の補正とを相関を持たせた適応制御技術について、図５を用いて簡単に説明する。図５（ａ）は通常制御状態、つまり補正変換処理を行わない場合の液晶画像、補助光、最終表示画像を示す。液晶画像とは本発明における受光型ディスプレイ、つまり液晶パネルに表示する画像であり、この画像に応じて個々の液晶素子の開口率が定まり、液晶パネルに補助光を照射することにより最終表示画像となる。そこで、一般的に、ローパスフィルターまたはヒストグラムなどを用いて表示画像の全面から最大輝度を抽出し、抽出した最大輝度を元に表示画像の補正、補助光の光量を制御する。なお、本実施の形態のように平均輝度を求めてもよい。図５（ａ）の通常制御状態のときは、表示画像つまり液晶画像は輝度が最大６０、補助光の光量が１００％の照度であった場合、図５（ｂ）にあるように液晶画像の輝度を上げ最大８０、一方で補助光は６０％に照度を下げるような適用処理を行う。よって、表示画像を補正し、補助光の照度を下げても最終的には同じ画像を得られ、画質は低下せずに省電力化が可能となる。本実施の形態では、特徴量抽出部１６０が表示画像の特徴量を抽出し、求めた特徴量を、表示内容補正部１６１、補正光制御部１６２それぞれに入力して、輝度値及び照度が算出される。表示装置２０は、算出された輝度値及び照度に基づいて、表示画像を表示する。
【００５６】
ここで、液晶パネルとは、全透過型や半透過型などといった受光型ディスプレイである。
１．３  画像制御装置１０の動作
ここでは、画像制御装置１０の動作について、説明する。
なお、画像復号部１０２にて行われる表示画像の復号処理については、公知であるため、ここでの説明は省略する。
【００５７】
以下、信号入力部１０１にて行われる障害検出処理及び表示制御部１０３にて行われる補正処理について説明する。
（１）障害検出処理
ここでは、信号入力部１０１にて行われる障害検出処理について図６にて示す流れ図を用いて説明する。
【００５８】
入力信号処理部１１０のＳ／Ｐ変換部１２０は、アンテナ３０から入力端子１００を介して、画像信号を受信し（ステップＳ５）、受信した画像信号を入力信号単位にパラレル形式に変換し（ステップＳ１０）、変換した入力信号に含まれるデータ部を画像復号部１０２へ出力する（ステップＳ２５）。
障害検出部１１１の比較部１２５は、入力信号に含まれるデータ部のパリティチェックを行い、データ部の整合性を確認する（ステップＳ１５）。
【００５９】
データ部のエラーを検出したと判断する場合（ステップＳ１５における「ＮＧ」）、比較部１２５は、障害通知情報を表示制御部１０３へ出力する（ステップＳ２０）。
データ部のエラーを検出していないと判断する場合（ステップＳ１５における「ＯＫ」）、比較部１２５は、処理は行わない。
（２）補正処理
ここでは、表示制御部１０３にて行われる補正処理について図７にて示す流れ図を用いて説明する。
【００６０】
表示制御部１０３の特徴量抽出部１６０及び表示内容補正部１６１のそれぞれは、表示画像を画像復号部１０２から取得する（ステップＳ５０）。
特徴量抽出部１６０は、第１セレクタ１６６と接続された領域に１以上の障害通知情報が存在するか否かを判断する（ステップＳ５５）。
障害通知情報が存在すると判断する場合には（ステップＳ５５における「ＹＥＳ」）、特徴量抽出部１６０は、ステップＳ５０にて取得した表示画像の全領域を特徴量抽出の対象外とし（ステップS６０）、取得した表示画像からの特徴量抽出を中止する（ステップＳ６５）。このとき、表示内容補正部１６１は、第１未算出情報と表示画像とを表示装置２０へ出力し、補正光制御部１６２は第２未算出情報を表示装置２０へ出力する。
【００６１】
障害通知情報が含存在しないと判断する場合には（ステップＳ５５における「ＮＯ」）、特徴量抽出部１６０は、取得した表示画像の全ての領域を用いて特徴量を抽出し、抽出した特徴量を表示内容補正部１６１及び補正光制御部１６２へ出力する（ステップＳ７０）。表示内容補正部１６１は受け取った特徴量から輝度値を算出し、補正光制御部１６２は受け取った特徴量から照度を算出する（ステップＳ７５）。表示内容補正部１６１は算出した輝度値と表示画像とを、補正光制御部１６２は、算出した照度をそれぞれ表示装置２０へ出力する（ステップＳ８０）。
１．４  その他の変形例
上記に説明した第１の実施の形態は、本発明の実施の一例であり、本発明はこの実施の形態に何ら限定されるものではなく、その旨を逸脱しない範囲において種々なる態様で実施し得るものである。例えば、以下のような場合も本発明に含まれる。
【００６２】
（１）上記実施の形態において、障害検出部１１１は、パリティビットによるチェックにて障害検出を行ったが、これに限定されない。
障害検出部１１１は、画像信号に対するＣＲＣコードによる検出方法にて、画像信号の障害を検出してもよい。
（２）上記実施の形態において、障害が検出された表示画像において、補正光制御部１６２は、バックライトを消灯とするように、つまり照度を０％とするように制御してもよい。
【００６３】
この場合、特徴量抽出部１６０は、障害通知情報が存在すると判断する場合には、照度を０％とする旨の消灯指示を補正光制御部１６２へ出力する。補正光制御部１６２は、消灯指示を特徴量抽出部１６０から受け取ると、照度０％を表示装置１０２０へ出力する。
（３）上記実施の形態において、情報格納部１６３、第１セレクタ１６６及び第２セレクタ１６７を表示制御部１０３の構成要素に含めたが、これに限定されない。
【００６４】
情報格納部１６３、第１セレクタ１６６及び第２セレクタ１６７を表示制御部１０３の構成要素に含めなくてもよい。
この場合、画像制御装置１０は、信号入力部１０１、画像復号部１０２、表示制御部１０３、情報格納部１６３、第１セレクタ１６６及び第２セレクタ１６７から構成され、表示制御部１０３は、特徴量抽出部１６０、表示内容補正部１６１及び補正光制御部１６２から構成される。
【００６５】
（４）上記実施の形態において、障害検出部１１１は、開始コード及び終了コードのみのチェックを行ってもよい。
この場合、障害検出部１１１は、上記にて示すパリティチェックにより障害を検出してよいし、開始コード及び終了コードを予め記憶しておき、記憶している各コードと受信したデータとが一致するか否かにより障害を検出してもよい。
【００６６】
（５）上記実施の形態及び上記変形例をそれぞれ組み合わせるとしてもよい。
１．５  第１の実施の形態のまとめ
表示制御部１０３は、障害検出部１１１にて障害を検出した場合には障害が検出された表示画像に対する特徴抽出の処理の停止し、障害が検出されない場合には障害が検出されなかった表示画像に対する特徴量を算出することができる。
【００６７】
また、補正光制御部１６２が算出された特徴量を用いて、補助光を減光、または特徴量を算出に利用されない表示画像に対して消灯するように制御することで、画像制御装置１０は、省電力化を行うことができる。
２．第２の実施の形態
本発明にかかる第２の実施の形態としての画像表示システム２について、第１の実施の形態と異なる点を中心に説明する。
【００６８】
画像表示システム２は、図８に示すように、画像制御装置１０１０と表示装置１０２０とから構成されている。
画像制御装置１０と画像制御装置１０１０との相違点は、画像制御装置１０では画像信号の入力時のみ障害検出を行ったが、画像制御装置１０１０では画像復号時にも障害検出を行う点である。
【００６９】
表示装置１０２０は、図８及び図９にて示すようにＬＣＤ１２００及びＢＬ／電源ＩＣ１２０１から構成されおり、ＬＣＤ１２００及びＢＬ／電源ＩＣ１２０１それぞれは、第１の実施の形態にて示すＬＣＤ２００及びＢＬ／電源ＩＣ２０１と同一であるので、ここでの説明は省略する。
以下、画像制御装置１０１０の構成について説明する。
２．１  画像制御装置１０１０の構成
ここでは、画像制御装置１０１０の構成について、説明する。
【００７０】
画像制御装置１０１０は、図８に示すように、入力端子１１００、信号入力部１１０１、画像復号部１１０２及び表示制御部１１０３及びフレーム管理部１１０４から構成されている。
（１）信号入力部１０１
信号入力部１０１は、図８及び図９にて示すように、入力信号処理部１１１０と障害検出部１１１１とから構成され、アンテナ１０３０から受信した画像信号に対する処理を行う。
【００７１】
入力信号処理部１１１０は、第１の実施の形態にて示す入力信号処理部１１０と同一の構成要素を有する。各構成要素の動作内容は、第１の実施の形態にて示す各構成要素の動作内容とほぼ同一であるが、Ｓ／Ｐ変換部が出力するビット幅が異なる。第２の実施の形態におけるＳ／Ｐ変換部は、パラレル形式に変換した入力信号、つまり１７ビット幅の信号を画像復号部１１０２へ出力する。
【００７２】
障害検出部１１１１は、第１の実施の形態にて示す障害検出部１１１と同一の構成要素を有し、同一の動作を行うので、ここでの説明は省略する。
なお、以降の説明では、第１の実施の形態にて示す障害通知情報を第１障害通知情報とする。
（２）画像復号部１１０２
画像復号部１１０２は、Ｈ．２６４／ＭＰＥＧ−４  ＡＶＣの規格による画像圧縮されたデータ（マクロブロック）を復号して、表示画像を生成する。
【００７３】
画像復号部１１０２は、図９にて示すように、エントロピー復号（可変長変換）部１１４０、逆量子化／逆ＤＣＴ部１１４１、加算部１１４２、デブロッキング・フィルタ１１４３、参照画像格納部１１４４、動き補償部１１４５、重み付き予測部１１４６、画面内予測部１１４７、スイッチ１１４８、表示画像格納部１１４９、第１セレクタ１１５２及び第２セレクタ１１５３から構成されている。
【００７４】
なお、エントロピー復号部１１４０以外の構成要素については、従来技術若しくは第１の実施の形態にて示す動作と同様であるので、ここでの説明は省略する。
以下、エントロピー復号部１１４０について説明する。
（２−１）エントロピー復号部１１４０
エントロピー復号部１１４０は、処理対象（復号対象）であるマクロブロック、つまり画像圧縮データに対して可変長変換を行うとともに、画像圧縮データの構文解析（ここでは、パリティチェック）を行って障害が発生しているか否かのチェックを行う。
【００７５】
エントロピー復号部１１４０は、図１０にて示すように、信号受取部１１８０、復号処理部１１８１、パリティ計算部１１８２、比較部１１８３及びマクロブロック位置情報検出部１１８４から構成されている。
（２−１−１）信号受取部１１８０
信号受取部１１８０は、信号入力部１１０１の入力信号処理部１１１０からパラレル形式に変換された入力信号を、順次受け取り、受け取った入力信号の先頭から１６ビットを復号処理部１１８１、パリティ計算部１１８２及びマクロブロック位置情報検出部１１８４へ出力し、末尾１ビット、つまりパリティビットを比較部１１８３へ出力する。
【００７６】
（２−１−２）復号処理部１１８１
復号処理部１１８１は、処理対象（復号対象）であるマクロブロック、つまり画像圧縮データごとに可変長変換を行う。
可変長変換は公知であるので、ここでの説明は省略する。
（２−１−３）パリティ計算部１１８２
パリティ計算部１１８２は、信号受取部１１８０から１６ビット幅のデータを受け取ると、受け取ったデータの偶数ビットのパリティ計算を行い、計算結果を比較部１１８３へ出力する。
【００７７】
（２−１−４）比較部１１８３
比較部１１８３は、信号受取部１１８０からパリティビットを受け取る。
比較部１１８３は、パリティ計算部１１８２から計算結果を受け取ると、パリティビットと、パリティ計算部１１８２から受け取った計算結果とを比較し、データの整合性をチェックする。ここでは、比較部１１８３は、パリティビットと計算結果とが一致するか否かを判断することにより、データの整合性をチェックする。
【００７８】
比較結果により一致しないと判断する場合には、比較部１１８３は、処理対象のマクロブロックから障害が検出されたことを示す障害検出情報を、マクロブロック位置情報検出部１１８４へ出力し、次のデータの比較処理を行う。
（２−１−５）マクロブロック位置情報検出部１１８４
マクロブロック位置情報検出部１１８４は、図１１にて示すように、マクロブロック開始／終了検出部１１８５、マクロブロック数カウンタ部１１８６、フレーム開始検出部１１８７及びマクロブロック位置計算部１１８８から構成されている。
【００７９】
（マクロブロック数カウンタ部１１８６）
マクロブロック数カウンタ部１１８６は、マクロブロック開始／終了検出部１１８５にて検出されたマクロブロックの数をカウントするカウンタである。
ここで、マクロブロック数カウンタ部１１８６の初期値は０である。
（マクロブロック開始／終了検出部１１８５）
マクロブロック開始／終了検出部１１８５は、あるマクロブロックと次のマクロブロックとの区切りを検出する。
【００８０】
マクロブロック開始／終了検出部１１８５は、信号受取部１１８０から１６ビットの信号を受け取ると、受け取った信号が１のマクロブロックに対する開始を示すデータ「００ＢＢ」（以下、「開始データ」という。）であるか否かを判断する。
開始データであると判断する場合には、マクロブロック開始／終了検出部１１８５は、マクロブロック数カウンタ部１１８６の値に１を加算し、次信号の受け取り待ちの状態となる。
【００８１】
開始データでないと判断する場合には、マクロブロック開始／終了検出部１１８５は、次信号の受け取り待ちの状態となる。
（フレーム開始検出部１１８７）
フレーム開始検出部１１８７は、信号受取部１１８０から１６ビットの信号を受け取ると、受け取った信号が画像信号の開始コードであるか否かを判断する。
【００８２】
開始コードであると判断する場合には、フレーム開始検出部１１８７は、マクロブロック数カウンタ部１１８６の値を初期値にリセットし、次信号の受け取り待ちの状態となる。
開始コードでないと判断する場合には、フレーム開始検出部１１８７は、次信号の受け取り待ちの状態となる。
【００８３】
（マクロブロック位置計算部１１８８）
マクロブロック位置計算部１１８８は、１フレームを構成するマクロブロックの数（以下、「構成数」という。）を予め記憶している。
マクロブロック位置計算部１１８８は、比較部１１８３から障害検出情報を受け取ると、マクロブロック数カウンタ部１１８６から現時点でカウントされたカウンタ値を取得する。
【００８４】
マクロブロック位置計算部１１８８は、取得したカウンタ値と、予め記憶している構成数とから、１フレーム内において障害が発生したマクロブロックの座標位置を算出する。
マクロブロック位置計算部１１８８は、算出した座標位置と、画像復号処理において障害が発生した旨とを含む第２障害通知情報を生成し、生成した第２障害通知情報を表示制御部１１０３へ出力する。
【００８５】
以降の説明において、第１障害通知情報及び第２障害通知情報を区別する必要がない場合、単に障害通知情報という。
（３）表示制御部１１０３
表示制御部１１０３は、図９に示すように、特徴量抽出部１１６０、表示内容補正部１１６１、補正光制御部１１６２、情報格納部１１６３、第１セレクタ１１６６及び第２セレクタ１１６７から構成されている。
【００８６】
情報格納部１１６３は、第１領域１１６４及び第２領域１１６５を有している。
表示内容補正部１１６１、補正光制御部１１６２、情報格納部１１１６、第１セレクタ１１６６及び第２セレクタ１１６７のそれぞれは、第１の実施の形態にて示す表示内容補正部１６１、補正光制御部１６２、情報格納部１６３、第１セレクタ１６６及び第２セレクタ１６７のそれぞれと同様であるので、ここでの説明は省略する。
【００８７】
（３−１）特徴量抽出部１１６０
特徴量抽出部１１６０は、画像復号部１１０２の第１セレクタ１１５２と接続された領域から表示画像を取得する。
特徴量抽出部１１６０は、第１セレクタ１１６６と接続された領域に１以上の第２障害通知情報が存在するか否かを判断する。
【００８８】
存在すると判断する場合には、特徴量抽出部１１６０は、第１セレクタ１１６６と接続された領域に格納された１以上の第２障害通知情報を取得する。
特徴量抽出部１１６０は、取得した１以上の第２障害通知情報それぞれに含まれる座標位置から、取得した表示画像において障害が発生している領域を特定、つまり障害が発生している１以上のマクロブロックを特定する。
【００８９】
特徴量抽出部１１６０は、特定した１以上のマクロブロック以外の領域、つまり障害が発生していない領域から特徴量を抽出し、抽出した特徴量を表示内容補正部１１６１及び補正光制御部１１６２へ出力する。
第２障害通知情報が存在しないと判断する場合には、特徴量抽出部１１６０は、第１障害通知情報が存在するか否かを判断する。
【００９０】
第１障害通知情報が存在すると判断する場合には、第１の実施の形態と同様に、処理対象の表示画像からの特徴量の抽出を中止し、未抽出情報を表示内容補正部１１６１及び補正光制御部１１６２へ出力する。
第１障害通知情報が存在しないと判断する場合、つまり、表示画像内において障害が発生していないと判断する場合には、第１の実施の形態と同様に、表示画像全体から特徴量を抽出し、抽出した特徴量を表示内容補正部１１６１及び補正光制御部１１６２へ出力する。
（４）フレーム管理部１１０４
フレーム管理部１１０４は、第１の実施の形態にて示すフレーム管理部１０４と同様であるので、ここでの説明は省略する。
２．２  画像制御装置１０１０の動作
ここでは、画像制御装置１０１０の動作について説明する。
【００９１】
なお、信号入力部１１０１にて行われる障害検出処理は、第１の実施の形態にて示す図６と同様の処理の流れであるので、ここでの説明は省略する。
（１）復号処理
ここでは、エントロピー復号部１１４０にて行われる復号処理について、図１２にて示す流れ図を用いて説明する。
【００９２】
エントロピー復号部１１４０は、処理対象の画像圧縮データ（マクロブロック）を入力信号処理部１１１０から取得し（ステップＳ１００）、復号処理部１１８１にて可変長変換処理を行う（ステップＳ１０５）。逆量子化／逆ＤＣＴ部１１４１は、可変長変換されたデータに対して、逆量子化及び逆ＤＣＴを施す（ステップＳ１１０）。加算部１１４２、デブロッキング・フィルタ１１４３、参照画像格納部１１４４、動き補償部１１４５、重み付き予測部１１４６及び、画面内予測部１１４７及びスイッチ１１４８を用いて、逆量子化及び逆ＤＣＴが施されたデータから表示画像を生成する（ステップＳ１１５）。なお、ステップＳ１０５からステップＳ１１５までの処理の詳細については、公知であるので、ここでの説明は省略する。
【００９３】
エントロピー復号部１１４０は、パリティ計算部１１８２及び比較部１１８３にて、パリティチェックにより障害を検出したか否かを判断する（ステップＳ１２０）。
障害を検出したと判断する場合（ステップＳ１２０における「ＹＥＳ」）、比較部１１８３は、障害検出情報をマクロブロック位置情報検出部１１８４へ出力する。マクロブロック位置情報検出部１１８４は、比較部１１８３から障害検出情報を受け取ると、障害が発生したマクロブロックの座標位置を算出し、算出した座標位置と、復号処理にて障害が発生した旨とを含む第２障害通知情報を生成し（ステップＳ１２５）、生成した第２障害情報を表示制御部１１０３へ出力する（ステップＳ１３０）。
【００９４】
障害を検出していないと判断する場合（ステップＳ１２０における「ＮＯ」）、及び第２障害情報を表示制御部１１０３へ出力した後、エントロピー復号部１１４０は、次のマクロブロックに対する可変長復号処理に対する障害検出のために、ステップＳ１２０へ戻る。
（２）補正処理
ここでは、表示制御部１１０３にて行われる補正処理について図１３にて示す流れ図を用いて説明する。
【００９５】
表示制御部１１０３の特徴量抽出部１１６０及び表示内容補正部１１６１のそれぞれは、画像復号部１１０２の第１セレクタ１１５２と接続された領域から表示画像を取得する（ステップＳ１５０）。
特徴量抽出部１１６０は、第１セレクタ１１６６と接続された領域に１以上の第２障害通知情報が存在するか否かを判断する（ステップＳ１５５）。
【００９６】
第２障害通知情報が存在すると判断する場合には（ステップＳ１５５における「ＹＥＳ」）、特徴量抽出部１１６０は、第１セレクタ１１６６と接続された領域に格納された１以上の第２障害通知情報を取得する（ステップＳ１６０）。
特徴量抽出部１１６０は、取得した１以上の第２障害通知情報それぞれに含まれる座標位置を用いて、障害が発生している１以上のマクロブロックを特定する（ステップＳ１６５）。
【００９７】
特徴量抽出部１６０は、特定した１以上のマクロブロック以外の領域、つまり障害が発生していない領域から特徴量を抽出し、抽出した特徴量を表示内容補正部１６１及び補正光制御部１６２へ出力する（ステップＳ１７０）。
表示内容補正部１１６１は受け取った特徴量から輝度値を算出し、補正光制御部１１６２は受け取った特徴量から照度を算出する（ステップＳ１９０）。表示内容補正部１１６１は算出した輝度値と表示画像とを、補正光制御部１１６２は、算出した照度をそれぞれ表示装置１０２０へ出力する（ステップＳ１９５）。
【００９８】
第２障害通知情報が含存在しないと判断する場合には（ステップＳ１５５における「ＮＯ」）、特徴量抽出部１１６０は、第１セレクタ１１６６と接続された領域に１以上の第１障害通知情報が存在するか否かを判断する（ステップＳ１７５）。
第１障害通知情報が存在しないと判断する場合には（ステップＳ１７５における「ＮＯ」）、特徴量抽出部１１６０は、取得した表示画像の全ての領域を用いて特徴量を抽出し、抽出した特徴量を表示内容補正部１６１及び補正光制御部１６２へ出力し（ステップＳ１７８）、ステップＳ１９０以降を行う。
【００９９】
第１障害通知情報が存在すると判断する場合には（ステップＳ１７５における「ＹＥＳ」）、特徴量抽出部１１６０は、ステップＳ１５０にて取得した表示画像の全領域を特徴量抽出の対象外とし（ステップＳ１８３）、取得した表示画像からの特徴量抽出を中止し（ステップＳ１８５）、ステップＳ１５０へ戻る。このとき、表示内容補正部１１６１は、第１未算出情報と表示画像とを表示装置１０２０へ出力し、補正光制御部１１６２は第２未算出情報を表示装置１０２０へ出力する。
２．３  変形例
上記に説明した第２の実施の形態は、本発明の実施の一例であり、本発明はこの実施の形態に何ら限定されるものではなく、その旨を逸脱しない範囲において種々なる態様で実施し得るものである。例えば、以下のような場合も本発明に含まれる。
【０１００】
（１）上記実施の形態において、障害検出は、障害検出部１１１１及びエントロピー復号部１１４０の双方にて行われたが、これに限定されない。
エントロピー復号部１１４０のみにて障害検出を行ってもよい。
この場合、画像制御装置１０１０は、マクロブロック単位の障害のみ検出し、特徴量抽出の対象外となる領域をマクロブロック単位で特定する。
【０１０１】
（２）上記実施の形態において、表示制御部１１０３の特徴量抽出部１１６０は第２障害通知情報を用いて障害が発生しているマクロブロックを特定し、特定したマクロブロックを特徴量の抽出の対象外としたが、これに限定されない。
特定したマクロブロックを含む所定の範囲を特徴量抽出の対象外としてもよい。
例えば、ここで、所定の範囲とは、特定したマクロブロックを含む水平方向の１ラインや、垂直方向の１ライン若しくは斜め方向の１ラインである。または、所定の範囲を前述した各ラインを組み合わせた領域であってもよいし、前述したラインの一部であってもよいし、前述した各ラインうち２以上のラインそれぞれの一部を組み合わせた領域であってもよい。
【０１０２】
（３）上記実施の形態において、補正光制御部１１６２は、障害が発生してない領域に対して照度を算出し、障害が発生している領域に対しては照度を算出しないように制御をしてもよい。
または、補正光制御部１１６２は、特徴量の算出に利用しない領域に対しては照度を０％（つまり、消灯）するような制御してもよい。
【０１０３】
（４）上記実施の形態において、マクロブロック位置情報検出部１１８４が、障害が発生しているマクロブロックの座標位置を算出したが、これに限定されない。
特徴量抽出部１１６０が、障害が発生しているマクロブロックの座標位置を算出してもよい。
この場合、マクロブロック位置情報検出部１１８４は、座標位置の代わりに、障害が発生しているマクロブロックの番号（マクロブロック数カウンタ部１１８６から取得した値）を第２障害通知情報に含めて、表示制御部１１０３へ出力する。
【０１０４】
特徴量抽出部１１６０は、構成数を予め記憶している。
特徴量抽出部１１６０は、第１セレクタ１１６６と接続された領域から取得した第２障害通知情報に含まれるマクロブロックの番号と、構成数とから表示画像における座標位置を算出する。
（５）上記実施の形態において、エントロピー復号部１１４０は、パリティチェックにより各マクロブロックに対して障害が発生しているか否かをチェックしたが、これに限定されない。
【０１０５】
エントロピー復号部１１４０は、画像圧縮データを解凍（復号：ｄｅｃｏｄｅ）する際に、正しく解凍（デコード）できたか否かをチェックしてもよい。
正しく解凍できなかった場合には、エントロピー復号部１１４０は、障害が発生したと判断し、処理対象のマクロブロック（解凍できなかった画像圧縮データ）の番号を含む第２障害通知情報を生成し、生成した第２障害通知情報を表示制御部１１０３へ出力する。
【０１０６】
または、エントロピー復号部１１４０は、画像圧縮データの構文解析を行い、文法エラーを検出した場合にも、処理対象のマクロブロック（文法エラーを含む画像圧縮データ）の番号を含む第２障害通知情報を生成し、生成した第２障害通知情報を表示制御部１１０３へ出力してもよい。
（６）上記実施の形態において、マクロブロック単位での障害検出をエントロピー復号部１１４０にて行ったが、これに限定されない。
【０１０７】
障害検出部１１１１にて、１表示画像単位（画像信号単位）の障害検出に加えて、マクロブロック単位での障害検出も行ってもよい。
または、障害検出部１１１１にて、マクロブロック単位での障害検出のみ行ってもよい。
（７）上記実施の形態において、画像制御装置１０１０は、障害検出部１１１１にて開始コード及び終了コードのパリティチェックを行い、エントロピー復号部１１４０にてマクロブロック単位のパリティチェックを行ってもよい。
【０１０８】
（８）上記実施の形態において、エントロピー復号部１１４０は、マクロブロック毎にパリティチェックを行う際に、以下のような動作を行ってもよい。なお、ここでは、圧縮画像データはＭＰＥＧ規格によるものであるとする。
参照画像格納部１１４４は、生成された参照画像と、当該参照画像に障害が含まれる場合には、障害が発生している箇所を特定する特定情報（例えば、マクロブロックの座標位置）とを対応付けて格納している。
【０１０９】
エントロピー復号部１１４０は、復号するマクロブロックから復号対象の表示画像のピクチャ種別を判定する。
ピクチャ種別がＢピクチャまたはＰピクチャであると判断する場合には、エントロピー復号部１１４０は、参照画像から参照位置を特定し、特定した参照位置が、特定情報にて示される座標位置と同一であるか否かを判断する。
【０１１０】
同一であると判断する場合には、エントロピー復号部１１４０は、特定した参照位置を含む第２障害通知情報を生成し、生成した第２障害通知情報を表示制御部１１０３へ出力する。
同一でないと判断する、若しくは特定情報が存在しない場合には、エントロピー復号部１１４０は、次処理を行う。
【０１１１】
ピクチャ種別がＩピクチャであると判断する場合には、受信したマクロブロックのみに対してのみ障害検出を行う。
（９）上記実施の形態及び上記変形例をそれぞれ組み合わせるとしてもよい。
２．４  第２の実施の形態のまとめ
第１の実施の形態では、画像制御装置１０は、１表示画像の単位で違反通知（障害通知情報の出力）をしているので、表示画像内で小領域的な障害が発生した場合にも、１表示画像において障害が発生したと認識するので、細やかな制御ができない。
【０１１２】
しかしながら、第２の実施の形態では、Ｈ．２６４／ＭＰＥＧ−４  ＡＶＣのように任意の画素サイズで画像復号処理を繰り返す符号ループの場合、エントロピー復号部１１４０は、逐次的に画像圧縮データ（画像圧縮されたマクロブロック）が受け取り、受け取った画像圧縮データの処理時に障害を検出する。これにより、表示画像内で小領域的な障害が発生した場合にも、画像制御装置１０１０は、マクロブロック単位で障害の発生を認識することができるので、細やかな制御ができる。
【０１１３】
ここで、第１の実施の形態と第２の実施の形態とにおける特徴量の抽出の領域について図１４及び図１５を用いて説明する。図１４及び図１５における斜線部は、特徴量抽出の対象外の領域を示す。
図１４（ａ）は、第１の実施の形態にて示す画像制御装置１０が入力信号にて障害を検出した場合、その入力信号を含む表示画像において抽出対象外の範囲を示す図である。
【０１１４】
図１４（ｂ）は、マクロブロックの復号時に障害を検出した場合において、障害が検出されたマクロブロックを抽出対象外とする例を示す図である。ここで、抽出対象外のマクロブロックを領域１８００、１８０１とする。なお、領域１８００は１つのマクロブロックからなり、領域１８０１は２つのマクロブロックからなるものとする。
図１４（ｃ）は、第２の実施の形態の変形例において、マクロブロックの復号時に障害を検出した場合、そのマクロブロックを含む１ラインを抽出対象外とする例を示す図である。
【０１１５】
図１４（ｄ）は、第２の実施の形態の変形例において、マクロブロックの復号時に障害を検出した場合、そのマクロブロックを含む特定の領域を抽出対象外とする例を示す図である。
例えば、画像制御装置１０１０は、図１４（ｂ）にて示すように、障害が発生している表示画像内にて領域１８００及び１８０１を特定することができるので、第１の実施の形態に比べて表示画像に対して細やかな制御ができる。
【０１１６】
画像制御装置１０１０は、図１５にて示すように、表示画像において障害を検出した領域１８０５、１８０６を、第２障害通知情報から、領域１８０５を図１４（ｂ）にて示す領域１８００として特定し、領域１８０６を図１４（ｂ）にて示す領域１８０１として特定することができる。
また、画像制御装置１０１０は、上述したように、当然ながら垂直方向、斜め方向のラインや、近傍の違反マクロブロックを集合したような領域など容易に違反領域の制御をもすることができる。
【０１１７】
さらに、図１６及び図１７を用いて障害検出（違反検出）と表示画像の関係について補足する。図１６はフレーム単位で障害が検出された場合の例、図１７はマクロブロック単位で障害が検出された場合の例である。
以下、フレーム単位で障害検出を行う場合について説明する。
図１６に示すように、画像制御装置１０１０は、１画面単位に画像信号１８１０、１８１１、１８１２、１８１３、・・・を受信する。
【０１１８】
画像制御装置１０１０は、障害検出部１１１１にて各画像信号に障害が発生しているか否かをチェックすることにより、１画面である表示画像内にて障害の発生を検出することができる。
図１６にて示すように、画像制御装置１０１０は、画像信号１８１０に含まれる各入力信号から障害が検出されていないので、画像復号部１１０２にて復号された表示画像１８３０の全ての領域を用いて特徴量を抽出する。
【０１１９】
また、画像制御装置１０１０は、画像信号１８１１に含まれる各入力信号から障害が検出すると、表示画像１８３１の全体を特徴量抽出の対象外とし、表示画像１８３１からの特徴量の抽出を中止する。
次に、マクロブロック単位で障害検出を行う場合について説明する。
図１７に示すように、画像復号部１１０２は、画像圧縮データ１８５０、１８５１、１８５２、１８５３、・・・を信号入力部１１０１から受け取る。
【０１２０】
画像復号部１１０２は、エントロピー復号部１１４０にて可変長変換処理において障害が発生しているか否かをチェックすることにより、処理対象のマクロブロックにて障害の発生を検出することができる。
図１７にて示すように、画像復号部１１０２は、画像圧縮データ１８５０、１８５１、１８５２、１８５３、・・・から復号されたマクロブロック１８８０、１８８１、１８８２、１８８３・・・からなる表示画像１８７０を生成する。このとき、エントロピー復号部１１４０が画像圧縮データ１８５１から障害を検出すると、画像制御装置１０１０は、障害が検出されたマクロブロック１８８１を除く他の領域を用いて特徴量を抽出する。
【０１２１】
画像復号部１１０２における画像復号処理は、マクロブロック単位で逐次的に復号されるため、表示画像の障害位置（違反位置）をマクロブロック単位で把握することができる。
３．第３の実施の形態
本発明にかかる第３の実施の形態としての画像表示システム３について、第２の実施の形態と異なる点を中心に説明する。
【０１２２】
画像表示システム３は、図１８に示すように、画像制御装置２０１０と表示装置２０２０とから構成されている。
画像制御装置１０１０と画像制御装置２０１０との相違点は、画像制御装置２０１０ではある表示画像の障害を検出してから正常な表示画像（障害を検出しなかった表示画像）を取得するまで時間を計測し、計測の状況に応じて、表示画像の表示制御を行う点である。
【０１２３】
表示装置２０２０は、図１８及び図１９にて示すようにＬＣＤ２２００及びＢＬ／電源ＩＣ２２０１から構成されおり、ＬＣＤ２２００及びＢＬ／電源ＩＣ２２０１それぞれは、第２の実施の形態にて示すＬＣＤ１２００及びＢＬ／電源ＩＣ１２０１と同一であるので、ここでの説明は省略する。
以下、画像制御装置２０１０の構成について説明する。
３．１  画像制御装置２０１０の構成
ここでは、画像制御装置２０１０の構成について、説明する。
【０１２４】
画像制御装置２０１０は、図１８に示すように、入力端子２１００、信号入力部２１０１、画像復号部２１０２及び表示制御部２１０３、フレーム管理部２１０４、障害時間計測部２１７０及びタイマー２１７１から構成されている。
（１）信号入力部２１０１
信号入力部２１０１は、図１８及び図１９にて示すように、入力信号処理部２１１０と障害検出部２１１１とから構成され、アンテナ２０３０から受信した画像信号に対する処理を行う。
【０１２５】
入力信号処理部２１１０及び障害検出部２１１１のそれぞれは、第２の実施の形態にて示す入力信号処理部１１１０及び障害検出部１１１１と同一の構成要素をもち、同一の動作を行うので、ここでの説明は省略する。
（２）画像復号部２１０２
画像復号部２１０２は、Ｈ．２６４／ＭＰＥＧ−４ ＡＶＣの規格による画像圧縮されたデータ（マクロブロック）を復号して、表示画像を生成する。
【０１２６】
画像復号部２１０２は、図１８にて示すように、エントロピー復号（可変長変換）部２１４０、逆量子化／逆ＤＣＴ部２１４１、加算部２１４２、デブロッキング・フィルタ２１４３、参照画像格納部２１４４、動き補償部２１４５、重み付き予測部２１４６、画面内予測部２１４７、スイッチ２１４８、表示画像格納部２１４９、第１セレクタ２１５２及び第２セレクタ２１５３から構成されている。
【０１２７】
なお、エントロピー復号部２１４０、逆量子化／逆ＤＣＴ部２１４１、加算部２１４２、デブロッキング・フィルタ２１４３、参照画像格納部２１４４、動き補償部２１４５、重み付き予測部２１４６、画面内予測部２１４７、スイッチ２１４８、表示画像格納部２１４９、第１セレクタ２１５２及び第２セレクタ２１５３のそれぞれは、第２の実施の形態にて示すエントロピー復号部１１４０、逆量子化／逆ＤＣＴ部１１４１、加算部１１４２、デブロッキング・フィルタ１１４３、参照画像格納部１１４４、動き補償部１１４５、重み付き予測部１１４６、画面内予測部１１４７、スイッチ１１４８、表示画像格納部１１４９、第１セレクタ１１５２及び第２セレクタ１１５３のそれぞれと同様であるので、ここでの説明は省略する。
（３）タイマー２１７１
タイマー２１７１は、時間を計時する。タイマー２１７１の初期値は「０」であり、障害時間計測部２１７０の制御により、時間計時の開始、停止及び初期値へのリセットが行われる。
（４）障害時間計測部２１７０
障害時間計測部２１７０は、タイマー２１７１による時間計時を行っているか否かを示す計時フラグを有している。ここでは、計時フラグの値が「０」である場合には時間計時を行っていないことを示し、計時フラグの値が「１」である場合には時間計時を行っていることを示す。なお、計時フラグの初期値は「０」である。
【０１２８】
障害時間計測部２１７０は、フレーム管理部２１０４から切替指示を出力したことを示す切替完了情報を受け取ると、表示制御部２１０３の第１セレクタ２１６６と接続された領域に障害通知情報が格納されているか否かを判断する。
（障害通知情報が格納されている場合）
障害通知情報が格納されていると判断する場合には、障害時間計測部２１７０は、計時フラグが「０」であるか「１」であるかの判断する。
【０１２９】
計時フラグが「０」であると判断する場合には、障害時間計測部２１７０は、計時フラグの値を「１」へと変更し、タイマー２１７１による時間計時を開始させる。さらに、障害時間計測部２１７０は、次切替完了情報の受け取り待ちの状態となり、且つタイマー２１７１による時間計時の経過の監視を開始する。
計時フラグが「１」であると判断する場合には、障害時間計測部２１７０は、次切替完了情報の受け取り待ちの状態となる。
【０１３０】
なお、時間計時の経過の監視の動作については、後述する。
（障害通知情報が格納されていない場合）
障害通知情報が格納されていないと判断する場合には、障害時間計測部２１７０は、計時フラグが「０」であるか「１」であるかの判断する。計時フラグが「１」であると判断する場合には、障害時間計測部２１７０は、計時フラグの値を「０」へと変更し、タイマー２１７１による時間計時を停止し、及びタイマー２１７１のリセットを行う。さらに、障害時間計測部２１７０は、時間計時の経過の監視を終了し、バックライトの消灯を指示する消灯指示を表示制御部２１０３へ既に出力したか否かを判断する。出力したと判断する場合には、障害時間計測部２１７０は、消灯を解除する旨の消灯解除指示を表示制御部２１０３へ出力する。出力していないと判断する場合には、障害時間計測部２１７０は、次切替完了情報の受け取り待ちの状態となる。
【０１３１】
計時フラグが「０」であると判断する場合には、障害時間計測部２１７０は、次切替完了情報の受け取り待ちの状態となる。
なお、消灯指示を出力したか否かの判断は、例えば、消灯指示を出力したか否かを示す出力フラグを用いることで実現できる。例えば、出力フラグの値が「０」である場合には消灯指示は未出力であり、値が「１」である場合には消灯指示は出力済であることを示す。ここで、出力フラグの初期値は「０」であり、障害時間計測部２１７０は、消灯指示を出力すると、出力フラグの値を「０」から「１」へと変更する。また、障害時間計測部２１７０は、時間計時の経過の監視を終了時に、出力フラグをリセット、つまり出力フラグの値を「０」に設定する。
【０１３２】
（時間計時の経過の監視について）
障害時間計測部２１７０は、計時フラグの値が「０」から「１」に変更されると、タイマー２１７１による時間計時の経過の監視を開始する。
障害時間計測部２１７０は、時間計時が所定時間（例えば、５秒）を超えたか否かを判断する。超えたと判断する場合には、障害時間計測部２１７０は、消灯指示を表示制御部２１０３へ出力し、監視を継続する。超えていないと判断する場合には、障害時間計測部２１７０は、監視を継続する。
【０１３３】
障害時間計測部２１７０は、計時フラグの値が「１」から「０」に変更されると、監視を終了する。
ここで、障害時間計測部２１７０は、消灯指示を表示制御部２１０３へ出力した後、監視を終了するまでの間、当該消灯指示を出力し続けてもよいし、消灯指示の出力は１回のみであってもよい。
（５）表示制御部２１０３
表示制御部２１０３は、図１８に示すように、特徴量抽出部２１６０、表示内容補正部２１６１、補正光制御部２１６２、情報格納部２１６３、第１セレクタ２１６６及び第２セレクタ２１６７から構成されている。
【０１３４】
情報格納部２１６３は、第１領域２１６４及び第２領域２１６５を有している。
特徴量抽出部２１６０、表示内容補正部１１６１、情報格納部２１６３、第１セレクタ２１６６及び第２セレクタ２１６７のそれぞれは、第２の実施の形態にて示す特徴量抽出部１１６０、表示内容補正部１１６１、情報格納部１１６３、第１セレクタ１１６６及び第２セレクタ１１６７のそれぞれと同様であるので、ここでの説明は省略する。
【０１３５】
（５−１）補正光制御部２１６２
補正光制御部２１６２は、特徴量抽出部２１６０から特徴量を受け取り、受け取った特徴量に基づいて、照度を算出し、算出した照度を表示装置２０２０へ出力する。
補正光制御部２１６２は、障害時間計測部２１７０から消灯指示を受け取ると、障害時間計測部２１７０から消灯解除指示を受け取るまでの間、特徴量に基づいた照度の算出を行わないで、バックライトを消灯とするよう表示装置２０２０を制御する。例えば、補正光制御部２１６２は、障害時間計測部２１７０から消灯解除指示を受け取るまでの間、補助光０％を示す照度を表示装置２０２０へ出力する。
【０１３６】
補正光制御部２１６２は、障害時間計測部２１７０から消灯解除指示を受け取ると、特徴量に基づく照度の算出を再開する。
補正光制御部２１６２は、特徴量抽出部２１６０から未抽出情報を受け取ると、第２未算出情報を生成し、生成した第２未算出情報を表示装置２０２０へ出力する。
（６）フレーム管理部２１０４
フレーム管理部２１０４は、入力信号処理部２１１０から切替検出情報を受け取ると、画像復号部２１０２の第１セレクタ２１５２と第２セレクタ２１５３、及び表示制御部２１０３の第１セレクタ２１６６と第２セレクタ２１６７へ切替指示を出力する。
【０１３７】
フレーム管理部２１０４は、各セレクタへ切替指示を出力した後、切替完了情報を、障害時間計測部２１７０へ出力する。
これにより、フレーム単位に表示画像が格納される領域、及び障害通知情報が格納される領域を切り替えることができ、さらには、障害時間計測部２１７０がフレーム単位に、障害が発生した否かを確認することができる。
３．２  画像制御装置２０１０の動作
ここでは、画像制御装置２０１０の動作について説明する。
【０１３８】
なお、信号入力部２１０１にて行われる障害検出処理は、第１の実施の形態にて示す図６と同様の処理の流れであり、画像復号部２１０２にて行われる復号処理、及び表示制御部２１０３にて行われる補正処理については、それぞれ第２の実施の形態にて示す図１２及び図１３と同様の処理の流れであるので、これら処理については説明を省略する。
（１）計測処理
ここでは、障害時間計測部２１７０にて行われる計測処理について、図２０にて示す流れ図を用いて説明する。
【０１３９】
障害時間計測部２１７０は、フレーム管理部２１０４から切替完了情報を受け取ると（ステップＳ２００）、表示制御部２１０３の第１セレクタ２１６６と接続された領域に障害通知情報が格納されているか否かを判断する（ステップＳ２０５）。
障害通知情報が格納されていると判断する場合には（ステップＳ２０５における「ＹＥＳ」）、障害時間計測部２１７０は、計時フラグが「０」であるか「１」であるかの判断する（ステップＳ２１０）。
【０１４０】
計時フラグが「０」であると判断する場合には（ステップＳ２１０における「０」）、障害時間計測部２１７０は、計時フラグに値を「１」を設定し（ステップＳ２１５）、タイマー２１７１を起動し、タイマー２１７１による時間計時を開始させる（ステップＳ２２０）。障害時間計測部２１７０は、ステップＳ２００へ戻るとともに、タイマー２１７１による時間計時の経過の監視を開始する（ステップＳ２２５）。
【０１４１】
障害時間計測部２１７０は、時間計時が所定時間（例えば、５秒）を経過したか否かを判断する（ステップＳ２３０）。経過したと判断する場合には（ステップＳ２３０における「ＹＥＳ」）、障害時間計測部２１７０は、消灯指示を表示制御部２１０３へ出力し（ステップＳ２３５）、ステップＳ２３０へ戻る。経過していないと判断する場合には（ステップＳ２３０における「ＮＯ」）、障害時間計測部２１７０は、ステップＳ２３０へ戻る。ここで、障害時間計測部２１７０は、消灯指示を表示制御部２１０３へ出力した後、監視を終了するまでの間、当該消灯指示を出力し続けてもよいし、消灯指示の出力は１回のみであってもよい。
【０１４２】
計時フラグが「１」であると判断する場合には（ステップＳ２１０における「１」）、障害時間計測部２１７０は、ステップＳ２００へ戻る。
障害通知情報が格納されていないと判断する場合には（ステップＳ２０５における「ＮＯ」）、障害時間計測部２１７０は、計時フラグが「０」であるか「１」であるかの判断する（ステップＳ２４０）。計時フラグが「１」であると判断する場合には（ステップＳ２４０における「１」）、障害時間計測部２１７０は、計時フラグに値を「０」を設定し（ステップＳ２４５）、タイマー２１７１による時間計時を停止し、及びタイマー２１７１のリセットを行う（ステップＳ２５０）。
【０１４３】
障害時間計測部２１７０は、時間計時の経過の監視を終了し（ステップＳ２５５）、バックライトの消灯を指示する消灯指示を表示制御部２１０３へ既に出力したか否かを判断する（ステップＳ２６０）。
出力したと判断する場合には（ステップＳ２６０における「ＹＥＳ」）、障害時間計測部２１７０は、消灯を解除する旨の消灯解除指示を表示制御部２１０３へ出力する（ステップＳ２６５）。出力していないと判断する場合には（ステップＳ２６０における「ＮＯ」）、障害時間計測部２１７０は、ステップＳ２００へ戻る。
【０１４４】
計時フラグが「０」であると判断する場合には（ステップＳ２４０における「ＮＯ」）、障害時間計測部２１７０は、ステップＳ２００へ戻る。
３．３  変形例
上記に説明した第３の実施の形態は、本発明の実施の一例であり、本発明はこの実施の形態に何ら限定されるものではなく、その旨を逸脱しない範囲において種々なる態様で実施し得るものである。例えば、以下のような場合も本発明に含まれる。
【０１４５】
（１）上記実施の形態において、画像制御装置２０１０は、障害の発生が所定時間を経過すると、バックライトを消灯とするように制御したが、これに限定されない。
画像制御装置２０１０は、補正光制御部２１６２にて算出した補助光の照度をさらに低くするよう（例えば、算出した照度をさらに５０％下げる）に制御してもよい。
この場合、障害時間計測部２１７０は、時間計時の監視開始から所定時間が経過すると、照度を下げる旨の照度低下指示を補正光制御部２１６２へ出力する。
【０１４６】
また、障害時間計測部２１７０は、時間計時の経過の監視終了時には、照度低下指示を表示制御部２１０３へ既に出力したか否かを判断し、出力したと判断する場合には、障害時間計測部２１７０は、照度低下を解除する旨の消灯解除指示を表示制御部２１０３へ出力する。出力していないと判断する場合には、障害時間計測部２１７０は、次切替完了情報の受け取り待ちの状態となる。
【０１４７】
補正光制御部２１６２は、障害時間計測部２１７０から照度低下指示を受け取ると、障害時間計測部２１７０から消灯解除指示を受け取るまでの間、特徴量に基づいて算出した照度に値０．５を乗算し、乗算結果を表示装置２０２０へ出力する。
（２）上記実施の形態において、画像制御装置２０１０は、タイマーを用いて連続して発生している障害の経過時間を計時したが、これに限定されない。
【０１４８】
画像制御装置２０１０は、障害が発生しているフレーム（表示画像）をカウントしてもよい。
この場合、画像制御装置２０１０は、障害時間計測部２１７０及びタイマー２１７１の代わりに、計測部を有している。
以下、計測部について説明する。
【０１４９】
計測部は、フレームをカウントするカウンタを有しており、初期値は０である。
計測部は、フレーム管理部２１０４から切替完了情報を受け取ると、表示制御部２１０３の第１セレクタ２１６６と接続された領域に障害通知情報が格納されているか否かを判断する。
障害通知情報が格納されていると判断する場合には、計測部は、カウンタに１を加算し、加算結果が所定数（例えば、１００）を超えているか否かを判断する。
【０１５０】
超えていると判断する場合には、計測部は、消灯指示を表示制御部２１０３へ出力する。超えていないと判断する場合には、計測部は、次切替完了情報の受取待ちの状態となる。
障害通知情報が格納されていないと判断する場合には、計測部は、カウンタに初期値「０」を設定し、消灯指示を表示制御部２１０３へ既に出力したか否かを判断する。出力したと判断する場合には、計測部は、消灯解除指示を表示制御部２１０３へ出力する。出力していないと判断する場合には、計測部は、次切替完了情報の受け取り待ちの状態となる。
（３）上記実施の形態において、障害時間計測部２１７０は、監視終了時にタイマーをリセットしたが、これに限定されない。
【０１５１】
障害時間計測部２１７０は、監視終了時には、計時したタイマー値から予め定められた数（例えば、２秒）を減算し、監視再開後は、タイマー２１７１は減算した結果のタイマー値から時間計時を行ってもよい。
または、障害の発生状況に応じた重み付けを行い、重み付けに応じた数をタイマー値から減算し、監視再開後は、タイマー２１７１は減算した結果のタイマー値から時間計時を行ってもよい。
【０１５２】
この場合、例えば、障害時間計測部２１７０は、格納されている障害通知情報が３つ以下である場合にはタイマー値をリセットし、４以上１０以下である場合には計時されたタイマー値から４減算し、１１以上である場合には計時されたタイマー値から１減算する。
（４）上記実施の形態において、タイマー２１７１の初期値は０としたが、これに限定されない。
【０１５３】
タイマー２１７１の初期値を所定数（例えば、５）とし、カウントダウンによる時間計時を行ってもよい。
この場合、障害時間計測部２１７０は、タイマー値が０になると、消灯指示を表示制御部２１０３へ出力する。その後は、監視を終了してもよいし、監視を継続してもよい。監視を継続する場合は、消灯指示を出力し続けてもよいし、１回のみの出力であってもよい。
【０１５４】
（５）上記実施の形態及び上記変形例をそれぞれ組み合わせるとしてもよい。
３．４  第３の実施の形態のまとめ
上記第３の実施の形態において、画像制御装置２０１０は、障害を検出してから所定の時間を経過するまで、障害を検出し続けると、補助光を消灯、若しくは特徴量より算出された照度をさらに低下させる（補助光の光量を下げる）ので、表示装置２０２０の省電力化を図ることができる。
４．第４の実施の形態
本発明にかかる第４の実施の形態としての画像表示システム４について、第３の実施の形態と異なる点を中心に説明する。
４．１画像表示システム４の構成
画像表示システム４は、図２１に示すように、デジタルＴＶ受信装置３０１０、液晶モニター３０２０、アンテナ３０３０及びスピーカー３０４０から構成されている。
【０１５５】
アンテナ３０３０は、デジタルＴＶの電波を受信し、受信した電波を画像信号としてデジタルＴＶ受信装置３０１０へ出力する。なお、ここでは、画像信号には音声に係る信号をも含んでいる。
デジタルＴＶ受信装置３０１０は、チューナーＩＣ３１０１及びデジタルＴＶデコーダーＬＳＩ３１０２を含んでいる。
【０１５６】
チューナーＩＣ３１０１は、第３の実施の形態にて示す入力端子２１００、信号入力部２１０１を含み、第３の実施の形態にて示す信号入力部２１０１と同様の動作を行う。
デジタルＴＶデコーダーＬＳＩ３１０２は、第３の実施の形態にて示す第３の実施の形態にて示す画像復号部２１０２、表示制御部２１０３、フレーム管理部２１０４、障害時間計測部２１７０及びタイマー２１７１を含み、表示画像の生成、復号処理時における障害の検出、障害に応じた表示装置の制御、及び障害の発生時間に応じたＢＬの制御を行うことができる。また、デジタルＴＶデコーダーＬＳＩ３１０２は、復号処理により、表示画像に係る音声信号を生成し、生成した音声信号をスピーカー３０４０へ出力する。
【０１５７】
これにより、デジタルＴＶ受信装置は、第３の実施の形態にて示す画像制御装置２０１０と同様の動作を行うことができる。
なお、デジタルＴＶ受信装置３０１０における各構成要素の詳細については、第３の実施の形態にて示しているので、ここでの説明は省略する。
スピーカー３０４０は、デジタルＴＶデコーダーＬＳＩ３１０２から受け取った音声信号を音声として出力する。
【０１５８】
液晶モニター３０２０は、第３の実施の形態にて示す表示装置２０２０と同様の構成であるので、ここでの説明は省略する。
４．２  第４の実施の形態のまとめ
これにより、画像表示システム４は、アンテナ３０３０でデジタルＴＶの電波を受信し、チューナーＩＣ３１０１でデジタル復調したテレビ信号と、信号入力時に検出した第１障害通知情報とをデジタルＴＶデコーダーＬＳＩ３１０２し、デジタルＴＶデコーダーＬＳＩ３１０２で復号処理によりテレビ信号から表示画像及び音声を生成し、第１障害通知情報、復号処理において障害を検出した場合に生成した第２障害通知情報若しくは双方の障害通知情報に応じて生成した表示画像の特徴量を抽出し、抽出した特徴量から輝度値及び照度を算出する。
【０１５９】
画像表示システム４は、スピーカー３０４０にて、デジタルＴＶデコーダーＬＳＩ３１０２で生成した音声を出力するとともに、デジタルＴＶデコーダーＬＳＩ３１０２にて、デジタルＴＶデコーダーＬＳＩ３１０２で生成した表示画像を、デジタルＴＶデコーダーＬＳＩ３１０２で算出した輝度値及び照度に応じて表示する。
ここで、図２０のチューナーＩＣ３１０１と、デジタルＴＶデコーダーＬＳＩ３１０２とは個別のＬＳＩとなっているが、当然ながら今日の半導体製造技術を持ってすれば単一のＬＳＩ化、つまりシステムＬＳＩにすることは可能である。
【０１６０】
また、図２０ではデジタルＴＶの視聴端末（デジタルＴＶ受信装置）を想定しているが、ＴＶ電話携帯端末、画像ビューワ、ＰＤＡなど、障害が発生しうる信号網から画像信号を受信、または入力し表示する受光型デバイスで構成したすべてのセットが考えられる。これら何れの場合においても、本発明によって、画像品質が高く、省電力なセットが構築できる。
５．第５の実施の形態
本発明にかかる第５の実施の形態としての画像制御装置について、第２の実施の形態にて示す画像制御装置１０１０と異なる点を中心に説明する。
【０１６１】
第５の実施の形態における画像制御装置は、第２の実施の形態にて示す画像制御装置１０１０と、表示制御部が異なるのみで他の構成要素（信号入力部及び画像復号部）は同じ構成である。
以下、表示制御部４１０３についてのみ説明し、他の構成要素（信号入力部及び画像復号部）については説明を省略する。
【０１６２】
なお、必要であれば、信号入力部及び画像復号部とこれらの構成要素については、第２の実施の形態にて示す信号入力部１１０１及び画像復号部１１０２と、これらの構成要素を用いて説明する。
また、他の装置（表示装置）についても第２の実施の形態と同様であるので、ここでの説明は省略し、以下において必要であれば、第２の実施の形態にて示す表示装置１０２０及びこの構成要素を用いて説明する。
５．１  表示制御部４１０３
表示制御部４１０３は、図２２にて示すように、特徴量抽出部４１６０、表示内容補正部４１６１、補正光制御部４１６２、情報格納部４１６３、第１セレクタ４１６６、第２セレクタ４１６７、特徴量保持部４１７０、閾値保持部４１７１及び選択部４１７２から構成されている。
【０１６３】
情報格納部４１６３は、第１領域４１６４及び第２領域４１６５を有している。
情報格納部４１６３、第１セレクタ４１６６及び第２セレクタ４１６７のそれぞれは、第３の実施の形態にて示す情報格納部２１６３、第１セレクタ２１６６及び第２セレクタ２１６７のそれぞれと同様であるので、ここでの説明は省略する。
（１）特徴量保持部４１７０
特徴量保持部４１７０は、当該表示画像の１つ前の表示画像（以降、「前表示画像」という。）に対する表示制御に用いた特徴量、つまり前表示画面に対する輝度値及び照度の算出に用いた特徴量を保持する領域を有している。
【０１６４】
以降、当該特徴量保持部４１７０にて格納されている特長量を前特徴量という。
（２）特徴量抽出部４１６０
特徴量抽出部４１６０は、第２の実施の形態にて示す特徴量抽出部１１６０と同様の動作により表示画像の特徴量を抽出し、抽出した特徴量を選択部４１７２へ出力する。
特徴量抽出部４１６０は、特徴量の抽出に用いた領域の面積値を算出し、算出した面積値を選択部４１７２へ出力する。
【０１６５】
特徴量抽出部４１６０は、特徴量を抽出しない場合には、特徴量「０」、及び面積値「０」を選択部４１７２へ出力する。
（３）閾値保持部４１７１
閾値保持部４１７１は、前特徴量と、特徴量抽出部４１６０にて算出された特徴量との差分ｘを入力値とし、閾値を算出する閾値関数ｆ（ｘ）を予め保持している。
【０１６６】
ここで、閾値関数ｆ（ｘ）は、プログラム可能な関数式である。
（４）選択部４１７２
選択部４１７２は、特徴量抽出部４１６０から特徴量（以下、「現特徴量」という。）及び面積値を受け取ると、特徴量保持部４１７０から前特徴量を、閾値保持部４１７１から閾値を、それぞれ読み出し、現特徴量と前特徴量との差分ｘを算出する。
【０１６７】
算出した差分ｘを、閾値保持部４１７１にて保持している閾値関数ｆ（ｘ）に施して、閾値を算出する。
選択部４１７２は、面積値と閾値とを比較する。
比較結果により面積値が閾値以上であると判断する場合には、選択部４１７２は、現特徴量を有効な特徴量として選択する。
【０１６８】
比較結果により面積値が閾値より小さいと判断する場合には、選択部４１７２は、前特徴量を有効な特徴量として選択する。
選択部４１７２は、選択した特徴量（現特徴量若しくは前特徴量）を表示内容補正部４１６１及び補正光制御部４１６２へ出力する。
さらに、選択部４１７２は、特徴量保持部４１７０へ格納されている前特徴量を選択した特徴量へと更新する。
【０１６９】
なお、選択部４１７２は、受け取った特徴量が「０」である場合には、特徴量の選択は行わない。このとき、選択部４１７２は、選択を行わない旨の未選択情報を表示内容補正部４１６１及び補正光制御部４１６２へ出力する。
ここで、閾値を用いた特徴量の選択方法について、図２３を用いて補足説明する。
図２３にて示すグラフの横軸（ｘ軸）は前特徴量と現特徴量との差分値を、縦軸（ｙ軸）は表示対象の表示画像において障害が発生していない領域、つまり特徴量の抽出に用いた領域の面積を示している。
【０１７０】
本実施の形態では、閾値関数ｆ（ｘ）というプログラム可能な関数式によって領域ｐと領域ｑとに二分し、算出された面積値が領域ｐに属すると判断される場合には現特徴量を有効とし、領域ｑに属すると判断される場合には現特徴量は無効、つまり前特徴量を有効とする。
表示対象の表示画像において特徴量の抽出に用いた領域が大きい程、正しく画像が生成されたことを意味するので、仮に差分値が大きくても算出された特徴量（現特徴量）は、正しい値であることが言える。
【０１７１】
逆に、特徴量の抽出に用いた領域が小さい程、正しく画像が生成されていないこと（表示画像に多くの障害が発生していること）を意味するので、差分値が大きい場合には無駄に画像のチラツキを発生させることになるために、現特徴量を無効とし、前特徴量を有効とする。
なお、本実施の形態では、図２３にて示すように、閾値関数ｆ（ｘ）は一次関数のような直線の特性を持つ関数としているが、これに限定されない。閾値関数は、ガンマー関数や多次項関数などのような曲線の特性をもった関数であってもよい。
【０１７２】
（５）表示内容補正部４１６１
表示内容補正部４１６１は、画像復号部１１０２の第１セレクタ１１５２と接続された領域から表示画像を取得する。
表示内容補正部４１６１は、選択部４１７２から特徴量を受け取る。表示内容補正部４１６１は、受け取った特徴量に基づいて、表示画像の輝度値を算出し、算出した輝度値と表示画像とを表示装置１０２０へ出力する。
【０１７３】
表示内容補正部４１６１は、未選択情報を選択部４１７２から受け取ると、表示画像のみを表示装置１０２０へ出力する。
なお、特徴量に基づく輝度の算出方法については、特許文献２に詳しく記載されているので、ここでの説明は省略する。
（６）補正光制御部４１６２
補正光制御部４１６２は、選択部４１７２から特徴量を受け取り、受け取った特徴量に基づいて、照度を算出する。補正光制御部４１６２は、算出した照度を表示装置１０２０へ出力する。
【０１７４】
補正光制御部４１６２は、未選択情報を選択部４１７２から受け取ると、実算出情報を表示装置１０２０へ出力する。
なお、特徴量に基づく照度の算出方法については、特許文献２に詳しく記載されているので、ここでの説明は省略する。
５．２  第５の実施の形態のまとめ
ここで、図２４を用いて第５の実施の形態の具体的な動作について補足説明する。
【０１７５】
図２４（ａ）は表示画像を表示順番（ｔ１〜ｔ７）に並べた図である。図２４（ａ）にて示すように、各表示画像には、画像障害が存在し、その障害位置、障害領域はそれぞれ違う。ここでは、障害位置は領域１〜ｅ９である。
一般的な信号障害状況を想定した場合、障害位置はランダムであるため、よって画像の障害位置、障害領域は表示画像間で相関や継続性はない。
【０１７６】
そこで、このような障害画像群の特徴量を抽出した一例を図２４（ｂ）に示す。
表示画像間が一画像ずつ大きな差分があまりないことから、障害位置、障害領域が大体同じような場合、特に障害領域がほぼ同じ大きさであれば、表示画像に障害画像を含んでいるとしても特徴量はほぼ同じような遷移となる。例えば、図２４（ｂ）の表示画像ｔ１〜ｔ３、そしてｔ５〜ｔ７では、ほぼ同じような特徴量が抽出される。
【０１７７】
しかしながら、表示画像ｔ４には障害領域ｅ４、ｅ５及びｅ６を含み、他画像よりも障害領域が大きいため、他の表示画像の特徴量とは十分に異なる特徴量が抽出される。
例えば、図２４（ｂ）にて示す表示画像ｔ３の特徴量ｃ１と表示画像ｔ４の特徴量ｃ４とは大きな差が生じ、この差分ｄ１が大きくなればなるほど、表示画像ｔ４だけバックライトに対する照度が大きく変化するため、画像のちらつきがひどくなる。
【０１７８】
そこで、本発明は、差分ｄ１が閾値保持部４１７１にて保持されている閾値を超える場合、表示画像ｔ４の特徴量として、抽出した特徴量ｃ２の代わりに、表示画像ｔ３の特徴量ｃ１を適用し（ここでは、特徴量ｃ３とする）、バックライトの誤った発光を抑制しちらつきを抑えることができる。
なお、本発明では特徴量の差分量に着目した制御ではあるが、ＭＰＥＧ方式の動画像復号化処理においては表示画像間の差分状態を符号化されたデータ内の動きベクトルといった情報を元に容易に抽出可能であるため、表示画像そのものの特徴と掛け合せて更に表示画像間の差分をかけあわせた制御も可能である。
【０１７９】
本実施の形態によると、表示画像における障害の発生状況に応じて、現特徴量を有効にするか、前特徴量を有効にするか判別することにより、無駄に画像のチラツキを発生させることを防ぐことができる。
また、画像制御装置は、障害が発生していない領域から特徴を抽出するので画質を確保しつつ低消費電力を実現する。
６．変形例
上記に説明した実施の形態及び変形例は、本発明の実施の一例であり、本発明はこの実施の形態に何ら限定されるものではなく、その旨を逸脱しない範囲において種々なる態様で実施し得るものである。例えば、以下のような場合も本発明に含まれる。
【０１８０】
（１）上記の各装置は、具体的には、マイクロプロセッサ、ＲＯＭ、ＲＡＭ、ハードディスクユニットなどから構成されるコンピュータシステムである。前記ＲＡＭまたはハードディスクユニットには、コンピュータプログラムが記憶されている。前記マイクロプロセッサが、前記コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１８１】
（２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムにしたがって動作することにより、システムＬＳＩは、その機能を達成する。
【０１８２】
また、上記の各装置を構成する構成要素の各部は、個別に１チップ化されていても良いし、一部又は全てを含むように１チップ化されてもよい。
また、ここでは、システムＬＳＩとしたが、集積度の違いにより、ＩＣ、ＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
【０１８３】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
（３）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【０１８４】
また、本発明は、前記コンピュータプログラムまたは前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されている前記デジタル信号であるとしてもよい。
【０１８５】
また、本発明は、前記コンピュータプログラムまたは前記デジタル信号を、電気通信回線、無線または有線通信回線、インターネットを代表とするネットワーク、データ放送等を経由して伝送するものとしてもよい。
また、本発明は、マイクロプロセッサとメモリを備えたコンピュータシステムであって、前記メモリは、上記コンピュータプログラムを記憶しており、前記マイクロプロセッサは、前記コンピュータプログラムにしたがって動作するとしてもよい。
【０１８６】
また、前記プログラムまたは前記デジタル信号を前記記録媒体に記録して移送することにより、または前記プログラムまたは前記デジタル信号を前記ネットワーク等を経由して移送することにより、独立した他のコンピュータシステムにより実施するとしてもよい。
（４）上記実施の形態及び上記変形例をそれぞれ組み合わせるとしてもよい。
７．まとめ
（１）本発明は表示要求画像に応じて、受光型ディスプレイの補助光の光量と表示要求画像を補正する補正値とを制御可能な、表示状態の適応処理を施す画像表示装置であって、画像情報を含んだ信号を入力し、信号障害を検出し、第１の障害通知信号を出力する信号入力部と、前記第１の障害通知信号に応じて前記補助光の光量と前記表示要求画像の補正値とを所望の調整量に変更する補正部とを備えることを特徴とする。
【０１８７】
（２）ここで、上記（１）に記載の画像表示装置は、さらに、画像情報を含む圧縮した信号を入力し、前記信号の障害を検出し、第２の障害通知信号と、復号した画像とを出力する画像復号部を更に備え、前記補正部は、前記第１の障害通知信号と前記第２の障害通知信号とに応じて、復号画像面内の領域に対して、補助光の光量と画像の補正値とを制御するとしてもよい。
【０１８８】
（３）ここで、上記（１）または（２）に記載の画像表示装置は、さらに、前記第１の障害信号を入力し、障害の連続時間を計測するタイマーを更に備え、前記補正部は、前記タイマーで画像障害が所望の時間以上連続したことを検出した場合に、前記補助光の光量と前記表示内容の補正値を所望の補正制御を行うとしもよい。
（４）また、本発明は、画像情報を含んだ信号を入力し、信号障害を検出し、第１の障害通知信号を出力する信号入力部と、前記第１の障害通知信号に応じて前記補助光の光量と前記表示要求画像の補正値とを所望の調整量に変更する補正部と、前記補正部で調整された光量で補助光を点灯する表示制御部と、前記補正部で調整された表示要求画像を表示する受光型ディスプレイとを備えた画像表示システムである。
【０１８９】
（５）上記（１）から（３）に記載の画像表示装置及び上記（４）に記載の画像表示システムにおいて、第１の障害通知信号に応じて補助光の光量と表示要求画像の補正値とを所望の調整量に変更する補正部は、特徴量保持部を設け過去の特徴量の保持する特徴量保持部と、特徴量抽出部が出力した現在の表示要求画像の特徴量と、前記保持していた過去の特徴量と、特徴量の差分を示す閾値とを入力値とする特徴量選択部とを備え、前記特徴量選択部は、現在の要求表示画像の特徴量と、保持していた過去の特徴量の差分が、前記閾値より小さい場合は現在の要求表示画像の特徴量を、一方、前記閾値より大きい場合は保持していた特長量を出力するとしてもよい。
【０１９０】
（６）本発明は、信号の障害を検出する特徴がある画像情報を含んだ信号を入力する信号入力装置があって、信号入力装置が出力した障害通知信号に基づいて、補助光の光量と表示要求画像の補正値とを所望の調整量に変更する補正機構を搭載した画像表示装置である。
これにより、入力した信号に障害がある、つまり表示要求画像が正しい画像になっていないと言え、表示要求画像が乱れており最終の表示画像が無効の場合であるため、補助光の光量と表示要求画像をさらに省電力に補正する。具体的には、補助光の光量を暗くする。
【０１９１】
（７）上記（６）の画像表示装置は、さらに、圧縮された画像情報を含んだ画像復号装置を搭載し、前記画像復号装置は、画像情報を復号処理中に障害を逐次的に検出する。
これにより、画像表示装置は、逐次的に検出されるために、表示要求画像内の障害発生位置を正確に抽出することができるので、後段で行う特徴量の抽出処理の対象となる正常な表示要求画像領域のみを使って特徴量の抽出処理を行えるため、障害発生時の画質劣化の問題を回避することができる。
【０１９２】
（８）また、本発明は、障害信号によって通知された障害状態を、タイマー装置によって障害期間を計測し、所定の時間以上連続した場合に、補助光を減光、または消灯することで、さらに省電力化をはかる。
（９）本発明によると、表示画像を生成する処理より前処理の段階で検出した状態信号を用いて、障害発生を認識し、後段で行われる特徴量の抽出処理の光源輝度と表示画像の補正調整の際に画質低下を抑え、また光源の無駄な発光を抑え、低消費電力を実現することができる。
【０１９３】
（１０）従来技術では、障害が発生した領域を含めた違反画像から特徴量抽出を行っているので、障害領域（違反領域）の画像に悪影響を及ぼし、特徴量を抽出した結果、ひいては補助光の光量、表示画像の補正処理にずれが発生し、画質低下を引き起こしている。
本発明により、障害領域を切り分けて適応処理（特徴量の抽出処理）が可能となるので、画質低下を回避することができる。
【０１９４】
（１１）また、本発明は、受信した画像データから画像を復元して表示装置へ出力するとともに、受信した画像データに応じて表示装置の表示条件を示す表示情報を生成して出力する画像制御装置で用いられる画像制御方法であって、画像データを受信する受信ステップと、前記画像データから誤りを検出する検出ステップと、誤りが検出されると、前記画像データから、検出された誤りを含む障害画像領域を特定する特定ステップと、前記表示装置による画像表示状態を規定する表示情報の生成の際には、前記特定ステップにて特定された障害画像領域の利用を抑止する制御ステップとを含むことを特徴とする。
【産業上の利用可能性】
【０１９５】
本発明にかかる画像制御装置は、障害が発生しうる信号網から画像信号を受信、または入力し表示する受光型デバイスの制御分野において良好に利用できる。
また、上記にて示す各装置は、圧縮された動画像を復号して表示画像を生成し、生成した表示画像の表示状態を制御する装置を製造、販売する産業において、経営的、つまり反復的かつ継続的に利用されうる。
【図面の簡単な説明】
【０１９６】
【図１】画像表示システム１の概要を示すブロック図である。
【図２】画像制御装置１０及び表示装置２０の構成を示すブロック図である。
【図３】画像信号の内容の一例を示す図である。
【図４】信号入力部１０１の構成を示すブロック図である。
【図５】光源の輝度調整と表示内容の補正とを相関を持たせた適応制御技術について説明する図である。
【図６】信号入力部１０１にて行われる障害検出処理の動作を示す流れ図である。
【図７】表示制御部１０３にて行われる補正処理の動作を示す流れ図である。
【図８】画像表示システム２の概要を示すブロック図である。
【図９】画像制御装置１０１０及び表示装置１０２０の構成を示すブロック図である。
【図１０】エントロピー復号部１１４０の構成を示すブロック図である。
【図１１】マクロブロック位置情報検出部１１８４の構成を示すブロック図である。
【図１２】画像復号部１１０２にて行われる復号処理の動作を示す流れ図である。
【図１３】表示制御部１０３にて行われる補正処理の動作を示す流れ図である。
【図１４】特徴量の抽出を行う領域を説明する図である。
【図１５】障害が発生した領域の一例を示す図である。
【図１６】フレーム単位での障害検出と表示画像の関係を示す図である。
【図１７】マクロブロック単位での障害検出と表示画像の関係を示す図である。
【図１８】画像表示システム３の概要を示すブロック図である。
【図１９】画像制御装置２０１０及び表示装置２０２０の構成を示すブロック図である。
【図２０】障害時間計測部２１７０にて行われる計測処理の動作を示す流れ図である。
【図２１】画像表示システム４の概要を示すブロック図である。
【図２２】表示制御部４１０３の構成を示すブロック図である。
【図２３】閾値を用いた特徴量の選択について説明する図である。
【図２４】閾値を用いた特徴量の選択方法の具体的な動作について説明する図である。
【符号の説明】
【０１９７】
１    画像表示システム
１０    画像制御装置
２０    表示装置
３０    アンテナ
１００    入力端子
１０１    信号入力部
１０２    画像復号部
１０３    表示制御部
１０４    フレーム管理部
１１０    入力信号処理部
１１１    障害検出部
１２０    Ｓ／Ｐ変換部
１２１    フレーム開始／終了検出部
１２２    出力端子
１２３    出力端子
１２４    パリティ計算部
１２５    比較部
１２６    出力端子
１４０    エントロピー復号部
１４１    逆量子化／逆ＤＣＴ部
１４２    加算部
１４３    フィルタ
１４４    参照画像格納部
１４５    補償部
１４６    予測部
１４７    画面内予測部
１４８    スイッチ
１４９    表示画像格納部
１５０    第１領域
１５１    第２領域
１５２    第１セレクタ
１５３    第２セレクタ
１６０    特徴量抽出部
１６１    表示内容補正部
１６２    補正光制御部
１６３    情報格納部
１６４    第１領域
１６５    第２領域
１６６    第１セレクタ
１６７    第２セレクタ
２００    ＬＣＤ
２０１    ＢＬ／電源ＩＣ
【図１】
2008003578.tif 000003
【図２】
2008003578.tif 000004
【図３】
2008003578.tif 000005
【図４】
2008003578.tif 000006
【図５】
2008003578.tif 000007
【図６】
2008003578.tif 000008
【図７】
2008003578.tif 000009
【図８】
2008003578.tif 000010
【図９】
2008003578.tif 000011
【図１０】
2008003578.tif 000012
【図１１】
2008003578.tif 000013
【図１２】
2008003578.tif 000014
【図１３】
2008003578.tif 000015
【図１４】
2008003578.tif 000016
【図１５】
2008003578.tif 000017
【図１６】
2008003578.tif 000018
【図１７】
2008003578.tif 000019
【図１８】
2008003578.tif 000020
【図１９】
2008003578.tif 000021
【図２０】
2008003578.tif 000022
【図２１】
2008003578.tif 000023
【図２２】
2008003578.tif 000024
【図２３】
2008003578.tif 000025
【図２４】
2008003578.tif 000026